(57)【要約】【課題】色収差を良好に補正可能で、広角化も容易な撮像レンズを得る。【解決手段】物体側から順に、正の屈折力を有する第１レンズ群Ｇ１および正の屈折力を有する第２レンズ群Ｇ２が配置されてなり、第２レンズ群Ｇ２全体を光軸Ｚに沿って移動させることでフォーカシングを行うように構成された撮像レンズにおいて、第１レンズ群Ｇ１を、物体側から順に配された正の第１レンズＬ１１、負の第２レンズＬ１２、負の第３レンズＬ１３、正の第４レンズＬ１４、正の第５レンズＬ１５を備えるものとする。そして、第２レンズＬ１２のｄ線に対するアッベ数をνｄ2、第３レンズＬ１３のｄ線に対するアッベ数をνｄ3として、下記条件式(1)を満足させる。       ２．０＜νｄ2 ／νｄ3 ……(1)【選択図】図１
2015118212.tif 000002
【特許請求の範囲】
【請求項１】
物体側から順に、正の屈折力を有する第１レンズ群、および正の屈折力を有する第２レンズ群が配置されて実質的になり、
第２レンズ群全体を光軸に沿って移動させることでフォーカシングを行うように構成され、
前記第１レンズ群が、最も物体側に配された正の屈折力を有する第１レンズ、この第１レンズの次に像側に配された負の屈折力を有する第２レンズ、この第２レンズの次に像側に配された負の屈折力を有する第３レンズ、この第３レンズの次に像側に配された正の屈折力を有する第４レンズ、およびこの第４レンズの次に像側に配された正の屈折力を有する第５レンズを備え、
下記条件式(1) 
２．０＜νｄ2 ／νｄ3 ……(1)
ただし
νｄ2：第２レンズのｄ線に対するアッベ数
νｄ3：第３レンズのｄ線に対するアッベ数
を満足することを特徴とする撮像レンズ。
【請求項２】
物体側から順に、正の屈折力を有する第１レンズ群、および正の屈折力を有する第２レンズ群が配置されて実質的になり、
第２レンズ群全体を光軸に沿って移動させることでフォーカシングを行うように構成され、
前記第１レンズ群の、最も像側のレンズ、最も像側から２枚目のレンズ、および最も像側から３枚目のレンズが全て像側に凸面を向けたメニスカスレンズであることを特徴とする撮像レンズ。
【請求項３】
前記第１レンズ群の、最も像側のレンズが正の屈折力を有するレンズであり、最も像側から２枚目のレンズが正の屈折力を有するレンズであり、最も像側から３枚目のレンズが負の屈折力を有するレンズである請求項２記載の撮像レンズ。
【請求項４】
前記第１レンズ群と第２レンズ群との間に開口絞りを備えている請求項１から３いずれか１項記載の撮像レンズ。
【請求項５】
前記第１レンズ群が、最も物体側に配された正の屈折力を有する第１レンズ、この第１レンズの次に像側に配された負の屈折力を有する第２レンズ、この第２レンズの次に像側に配された負の屈折力を有する第３レンズ、この第３レンズの次に像側に配された正の屈折力を有する第４レンズ、この第４レンズの次に像側に配された正の屈折力を有する第５レンズ、この第５レンズの次に像側に配された負の屈折力を有する第６レンズ、この第６レンズの次に像側に配された負の屈折力を有する第７レンズ、この第７レンズの次に像側に配された正の屈折力を有する第８レンズ、およびこの第８レンズの次に像側に配された正の屈折力を有する第９レンズを備えている請求項１から４いずれか１項記載の撮像レンズ。
【請求項６】
下記条件式(2)を満足する請求項１から５いずれか１項記載の撮像レンズ。
１．０＜FA／FB＜８．０ ……(2)
ただし、
FA：第１レンズ群の焦点距離
FB：第２レンズ群の焦点距離
【請求項７】
前記第１レンズ群が、最も物体側に配された第１レンズを備え、
下記条件式(3)を満足する請求項１から６いずれか１項記載の撮像レンズ。
１＜ｆ1／ｆ＜６ ……(3)
ただし、
ｆ1：第１レンズの焦点距離
ｆ：全系の焦点距離
【請求項８】
前記第２レンズ群の最も像側のレンズが正の屈折力を有するレンズであり、
下記条件式(4)を満足する請求項１から７いずれか１項記載の撮像レンズ。
０．５＜(ＲLF＋ＲLB)／(ＲLF−ＲLB)＜３．０ ……(4)
ただし、
ＲLF：第２レンズ群の最も像側のレンズの物体側面の曲率半径
ＲLB：第２レンズ群の最も像側のレンズの像側面の曲率半径
【請求項９】
前記第２レンズ群の最も像側から２枚目のレンズが正の屈折力を有するレンズであり、
下記条件式(5)を満足する請求項１から８いずれか１項記載の撮像レンズ。
０．３＜(ＲL2F＋ＲL2B)／(ＲL2F−ＲL2B)＜３．０ ……(5)
ただし、
ＲL2F：第２レンズ群の最も像側から２枚目のレンズの物体側面の曲率半径
ＲL2B：第２レンズ群の最も像側から２枚目のレンズの像側面の曲率半径
【請求項１０】
前記第２レンズ群の最も像側のレンズと最も像側から２枚目のレンズが共に、像側に凸面を向けたレンズである請求項１から９いずれか１項記載の撮像レンズ。
【請求項１１】
前記第１レンズ群の最も像側のレンズが、像側に凸面を向けた正メニスカスレンズである請求項１から１０いずれか１項記載の撮像レンズ。
【請求項１２】
前記第１レンズ群が、最も物体側に配された第１レンズ、この第１レンズの次に像側に配された第２レンズ、この第２レンズの次に像側に配された第３レンズ、およびこの第３レンズの次に像側に配された第４レンズを備え、
下記条件式(6)を満足する請求項１から１１いずれか１項記載の撮像レンズ。
−３．０＜ｆ1234／ｆ＜−０．５ ……(6)
ただし、
ｆ1234：第１レンズから第４レンズまでの合成焦点距離
ｆ：全系の焦点距離
【請求項１３】
前記第１レンズ群が、最も物体側に配された第１レンズ、この第１レンズの次に像側に配された第２レンズ、およびこの第２レンズの次に像側に配された第３レンズを備え、
下記条件式(7)を満足する請求項１から１２いずれか１項記載の撮像レンズ。
−３．０＜ｆ123／ｆ＜−０．２ ……(7)
ただし、
ｆ123：第１レンズから第３レンズまでの合成焦点距離
ｆ：全系の焦点距離
【請求項１４】
前記第１レンズ群の最も物体側のレンズが両凸レンズである請求項１から１３いずれか１項記載の撮像レンズ。
【請求項１５】
前記第１レンズ群が、最も物体側に配された第１レンズ、この第１レンズの次に像側に配された第２レンズ、この第２レンズの次に像側に配された第３レンズ、この第３レンズの次に像側に配された第４レンズ、およびこの第４レンズの次に像側に配された第５レンズを備え、
前記第４レンズのｄ線に対するアッベ数νｄ4と、前記第５レンズのｄ線に対するアッベ数νｄ5が共に４５以下である請求項１から１４いずれか１項記載の撮像レンズ。
【請求項１６】
下記条件式(8)を満足する請求項１から１５いずれか１項記載の撮像レンズ。
２＜FA／ｆ＜１２．０ ……(8)
ただし、
FA：第１レンズ群の焦点距離
ｆ：全系の焦点距離
【請求項１７】
下記条件式(9)を満足する請求項１から１６いずれか１項記載の撮像レンズ。
０．５＜FB／ｆ＜３．０ ……(9)
ただし、
FB：第２レンズ群の焦点距離
ｆ：全系の焦点距離
【請求項１８】
前記第１レンズ群が、最も物体側に配された第１レンズ、この第１レンズの次に像側に配された第２レンズ、この第２レンズの次に像側に配された第３レンズ、およびこの第３レンズの次に像側に配された第４レンズを備え、
下記条件式(10)を満足する請求項１から１７いずれか１項記載の撮像レンズ。
１．５＜(Ｒ7＋Ｒ8)／(Ｒ7−Ｒ8)＜５．０ ……(10)
ただし、
Ｒ7：第４レンズの物体側面の曲率半径
Ｒ8：第４レンズの像側面の曲率半径
【請求項１９】
前記第１レンズ群が、最も物体側に配された第１レンズ、この第１レンズの次に像側に配された第２レンズ、この第２レンズの次に像側に配された第３レンズ、およびこの第３レンズの次に像側に配された第４レンズを備え、
下記条件式(11)を満足する請求項１から１８いずれか１項記載の撮像レンズ。
０．１＜Ｄ6／ｆ＜１．５ ……(11)
Ｄ6：第３レンズと第４レンズとの間の距離
ｆ：全系の焦点距離
【請求項２０】
前記第１レンズ群が、最も物体側に配された第１レンズ、この第１レンズの次に像側に配された第２レンズ、およびこの第２レンズの次に像側に配された第３レンズを備え、
下記条件式(12)を満足する請求項１から１９いずれか１項記載の撮像レンズ。
０．１＜Ｄ4／ｆ＜１．５ ……(12)
ただし、
Ｄ4：第２レンズと第３レンズとの間の距離
ｆ：全系の焦点距離
【請求項２１】
前記第１レンズ群が、最も物体側に配された第１レンズ、およびこの第１レンズの次に像側に配された第２レンズを備え、
下記条件式(13)を満足する請求項１から２０いずれか１項記載の撮像レンズ。
−３．０＜ｆ1／ｆ2＜−０．０５ ……(13)
ｆ1：第１レンズの焦点距離
ｆ2：第２レンズの焦点距離
【請求項２２】
請求項１から２１いずれか１項記載の撮像レンズを備えたことを特徴とする撮像装置。
【発明の詳細な説明】
【技術分野】
【０００１】
本発明は撮像レンズに関し、より詳しくは、デジタルカメラ、放送用カメラ、監視用カメラ、映画撮影用カメラ等の電子カメラに好適に用いられる撮像レンズに関するものである。
【０００２】
また本発明は、上述のような撮像装置に関するものである。
【背景技術】
【０００３】
従来、ＣＣＤ（Charge Coupled Device）やＣＭＯＳ（Complementary Metal Oxide Semiconductor）等の撮像素子を記録媒体とするビデオカメラや電子スチルカメラ等の撮像装置が広く実用に供されている。また、そのような撮像装置に好適に用いられる撮像レンズとして、例えば特許文献１、２に記載されたものが公知となっている。
【０００４】
特許文献１に記載された撮像レンズは、物体側から順に正の屈折力を有する第１レンズ群、開口絞り、および正の屈折力を有する第２レンズ群が配置されてなり、そして第１レンズ群が物体側から順に配置された正レンズ、負レンズ、負レンズ、正レンズ、および正レンズの５枚のレンズを備えているものである。
【０００５】
また特許文献２に記載された撮像レンズは、物体側から順に、３枚の正のメニスカスレンズからなる第１レンズ群、負のメニスカスレンズからなる第２レンズ群、開口絞り、正の屈折力を有する第３レンズ群、および正の屈折力を有する第４レンズ群が配置されてなるものである。
【先行技術文献】
【特許文献】
【０００６】
【特許文献１】特開2001-330771号公報
【特許文献２】特開平5-224119号公報
【発明の概要】
【発明が解決しようとする課題】
【０００７】
特許文献１に記載された撮像レンズは、色収差を良好に補正することが困難であるという問題が認められる。
【０００８】
また特許文献１に記載された撮像レンズは、第１レンズから第３レンズまでの３枚のレンズが全て正レンズとされているため、広角化が困難であるという問題が認められる。
【０００９】
本発明は上記の事情に鑑みてなされたものであり、色収差を良好に補正可能で、広角化も容易な撮像レンズおよび、撮像装置を提供することを目的とする。
【課題を解決するための手段】
【００１０】
本発明による第１の撮像レンズは、 
物体側から順に、正の屈折力を有する第１レンズ群、および正の屈折力を有する第２レンズ群が配置されて実質的になり、
第２レンズ群全体を光軸に沿って移動させることでフォーカシングを行うように構成され、
第１レンズ群が、最も物体側に配された正の屈折力を有する第１レンズ、この第１レンズの次に像側に配された負の屈折力を有する第２レンズ、この第２レンズの次に像側に配された負の屈折力を有する第３レンズ、この第３レンズの次に像側に配された正の屈折力を有する第４レンズ、およびこの第４レンズの次に像側に配された正の屈折力を有する第５レンズを備え、
下記条件式(1) 
２．０＜νｄ2 ／νｄ3 ……(1)
ただし
νｄ2：第２レンズのｄ線に対するアッベ数
νｄ3：第３レンズのｄ線に対するアッベ数
を満足していることを特徴とするものである。
【００１１】
ここで上記の「実質的になり」とは、そこに挙げた第１レンズ群および第２レンズ群以外に、実質的にパワーを有さないレンズ、絞りやカバーガラスやフィルタ等のレンズ以外の光学要素、レンズフランジ、レンズバレル、撮像素子、手ぶれ補正機構等の機構部分などを含んでもよいことを意味するものである。また、上記の「この第１レンズの次に像側に配された負の屈折力を有する第２レンズ」とは、第１レンズと第２レンズとが、間に他のレンズを挟むことなくこの位置関係で配されていることを意味するものであり、これは第２レンズ以降のレンズに関しても同様である。また以下においてレンズのパワーに関しては、特に必要の無い限り、「正の屈折力を有する」ことを単に「正」と表し、「負の屈折力を有する」ことを単に「負」と表すこととする。
【００１２】
なお、条件式(1)が数値範囲を規定している条件（つまり文字式の部分：以下、同様）の下限は２．５とすることが好ましく、３．０とすることがさらに好ましい。またこの条件の上限は５．０とすることが好ましい。すなわちこの条件については、下記条件式
２．５＜νｄ2／νｄ3 ……(1-1)
３．０＜νｄ2／νｄ3 ……(1-2)
２．０＜νｄ2／νｄ3＜５．０ ……(1-3)
が満足されていることが望ましい。さらに、このνｄ2／νｄ3の値の上限は、より好ましくは４．０とされる。
【００１３】
また、本発明による第２の撮像レンズは、
物体側から順に、正の屈折力を有する第１レンズ群、および正の屈折力を有する第２レンズ群が配置されて実質的になり、
第２レンズ群全体を光軸に沿って移動させることでフォーカシングを行うように構成され、
第１レンズ群の、最も像側のレンズ、最も像側から２枚目のレンズ、および最も像側から３枚目のレンズが全て像側に凸面を向けたメニスカスレンズであることを特徴とするものである。
【００１４】
本発明の撮像レンズは、この第２の撮像レンズと前記第１の撮像レンズとが組み合わされた好ましい実施形態をとり得るものである。
【００１５】
なお、上記第２の撮像レンズにおいては、第１レンズ群の、最も像側のレンズが正レンズであり、最も像側から２枚目のレンズが正レンズであり、最も像側から３枚目のレンズが負レンズであることが望ましい。
【００１６】
また、本発明による第１および第２の撮像レンズ（以下、これら両者を指す場合は「本発明による撮像レンズ」あるいは「本発明の撮像レンズ」という）は、第１レンズ群と第２レンズ群との間に開口絞りを備えていることが望ましい。
【００１７】
また本発明の撮像レンズにおいては、第１レンズ群が、最も物体側に配された正の第１レンズ、この第１レンズの次に像側に配された負の第２レンズ、この第２レンズの次に像側に配された負の第３レンズ、この第３レンズの次に像側に配された正の第４レンズ、この第４レンズの次に像側に配された正の第５レンズ、この第５レンズの次に像側に配された負の第６レンズ、この第６レンズの次に像側に配された負の第７レンズ、この第７レンズの次に像側に配された正の第８レンズ、およびこの第８レンズの次に像側に配された正の第９レンズを備えていることが望ましい。
【００１８】
また本発明の撮像レンズにおいては、下記条件式(2)
１．０＜FA／FB＜８．０ ……(2)
ただし、
FA：第１レンズ群の焦点距離
FB：第２レンズ群の焦点距離
が満足されていることが望ましい。
【００１９】
なお、条件式(2)が数値範囲を規定している条件については、より好ましくは下記条件式(2-1)、さらに好ましくは下記条件式(2-2)、さらに好ましくは下記条件式(2-3)
１．５＜FA／FB＜７．０ ……(2-1)
２．０＜FA／FB＜６．０ ……(2-2)
２．２＜FA／FB＜５．０ ……(2-3)
が満足されていることが望ましい。
【００２０】
また本発明の撮像レンズにおいては、
第１レンズ群が、最も物体側に配された第１レンズを備えた上で、
下記条件式(3) 
１＜ｆ1／ｆ＜６ ……(3)
ただし、
ｆ1：第１レンズの焦点距離
ｆ：全系の焦点距離
が満足されていることが望ましい。
【００２１】
なお、条件式(3)が数値範囲を規定している条件については、例えば、下記条件式(3-1)、(3-2)、(3-3)
２＜ｆ1／ｆ＜５．５ ……(3-1)
２．５＜ｆ1／ｆ＜４．５ ……(3-2)
３＜ｆ1／ｆ＜５ ……(3-3)
が満足されていることが望ましい。
【００２２】
また本発明の撮像レンズにおいては、
第２レンズ群の最も像側のレンズが正レンズであり、
そして下記条件式(4) 
０．５＜(ＲLF＋ＲLB)／(ＲLF−ＲLB)＜３．０ ……(4)
ただし、
ＲLF：第２レンズ群の最も像側のレンズの物体側面の曲率半径
ＲLB：第２レンズ群の最も像側のレンズの像側面の曲率半径
が満足されていることが望ましい。
【００２３】
なお、条件式(4)が数値範囲を規定している条件については、より好ましくは下記条件式(4-1)、さらに好ましくは下記条件式(4-2)、さらに好ましくは下記条件式(4-3)
０．５＜(ＲLF＋ＲLB)／(ＲLF−ＲLB)＜２．５ ……(4-1)
０．５５＜(ＲLF＋ＲLB)／(ＲLF−ＲLB)＜２．０ ……(4-2)
０．６＜(ＲLF＋ＲLB)／(ＲLF−ＲLB)＜１．５ ……(4-3)
が満足されていることが望ましい。
【００２４】
また本発明の撮像レンズにおいては、
第２レンズ群の最も像側から２枚目のレンズが正レンズであり、
そして下記条件式(5) 
０．３＜(ＲL2F＋ＲL2B)／(ＲL2F−ＲL2B)＜３．０ ……(5)
ただし、
ＲL2F：第２レンズ群の最も像側から２枚目のレンズの物体側面の曲率半径
ＲL2B：第２レンズ群の最も像側から２枚目のレンズの像側面の曲率半径
が満足されていることが望ましい。
【００２５】
なお、条件式(5)が数値範囲を規定している条件については、より好ましくは下記条件式(5-1)、さらに好ましくは下記条件式(5-2)、さらに好ましくは下記条件式(5-3)
０．８＜(ＲL2F＋ＲL2B)／(ＲL2F−ＲL2B)＜２．５ ……(5-1)
１．２＜(ＲL2F＋ＲL2B)／(ＲL2F−ＲL2B)＜２．０ ……(5-2)
１．４＜(ＲL2F＋ＲL2B)／(ＲL2F−ＲL2B)＜１．８ ……(5-3)
が満足されていることが望ましい。
【００２６】
また本発明の撮像レンズにおいては、第２レンズ群の最も像側のレンズと最も像側から２枚目のレンズが共に、像側に凸面を向けたレンズであることが望ましい。
【００２７】
また本発明の撮像レンズにおいては、第１レンズ群の最も像側のレンズが、像側に凸面を向けた正メニスカスレンズであることが望ましい。
【００２８】
さらに本発明の撮像レンズにおいては、
第１レンズ群が、最も物体側に配された第１レンズ、この第１レンズの次に像側に配された第２レンズ、この第２レンズの次に像側に配された第３レンズ、およびこの第３レンズの次に像側に配された第４レンズを備えた上で、
下記条件式(6) 
−３．０＜ｆ1234／ｆ＜−０．５ ……(6)
ただし、
ｆ1234：第１レンズから第４レンズまでの合成焦点距離
ｆ：全系の焦点距離
が満足されていることが望ましい。
【００２９】
なお、条件式(6)が数値範囲を規定している条件については、より好ましくは下記条件式(6-1)、さらに好ましくは下記条件式(6-2)、さらに好ましくは下記条件式(6-3)
−２．５＜ｆ1234／ｆ＜−０．７ ……(6-1)
−２．０＜ｆ1234／ｆ＜−０．９ ……(6-2)
−１．９＜ｆ1234／ｆ＜−１．２ ……(6-3)
が満足されていることが望ましい。
【００３０】
また本発明の撮像レンズにおいては、
第１レンズ群が、最も物体側に配された第１レンズ、この第１レンズの次に像側に配された第２レンズ、およびこの第２レンズの次に像側に配された第３レンズを備えた上で、
下記条件式(7) 
−３．０＜ｆ123／ｆ＜−０．２ ……(7)
ただし、
ｆ123：第１レンズから第３レンズまでの合成焦点距離
ｆ：全系の焦点距離
が満足されていることが望ましい。
【００３１】
なお、条件式(7)が数値範囲を規定している条件については、より好ましくは下記条件式(7-1)、さらに好ましくは下記条件式(7-2)、さらに好ましくは下記条件式(7-3)
−２．５＜ｆ123／ｆ＜−０．４ ……(7-1)
−２．０＜ｆ123／ｆ＜−０．５ ……(7-2)
−１．５＜ｆ123／ｆ＜−０．７ ……(7-3)
が満足されていることが望ましい。
【００３２】
また本発明の撮像レンズにおいては、第１レンズ群の最も物体側のレンズが両凸レンズであることが望ましい。
【００３３】
また本発明の撮像レンズにおいては、
第１レンズ群が、最も物体側に配された第１レンズ、この第１レンズの次に像側に配された第２レンズ、この第２レンズの次に像側に配された第３レンズ、この第３レンズの次に像側に配された第４レンズ、およびこの第４レンズの次に像側に配された第５レンズを備えた上で、
第４レンズのｄ線に対するアッベ数νｄ4と、第５レンズのｄ線に対するアッベ数νｄ5が共に４５以下であることが望ましい。
【００３４】
また本発明の撮像レンズにおいては、下記条件式(8) 
２＜FA／ｆ＜１２．０ ……(8)
ただし、
FA：第１レンズ群の焦点距離
ｆ：全系の焦点距離
が満足されていることが望ましい。
【００３５】
なお、条件式(8)が数値範囲を規定している条件については、より好ましくは下記条件式(8-1)、さらに好ましくは下記条件式(8-2)、さらに好ましくは下記条件式(8-3)
３＜FA／ｆ＜１０．０ ……(8-1)
４＜FA／ｆ＜９．０ ……(8-2)
５＜FA／ｆ＜８．０ ……(8-3)
が満足されていることが望ましい。
【００３６】
また本発明の撮像レンズにおいては、下記条件式(9)
０．５＜FB／ｆ＜３．０ ……(9)
ただし、
FB：第２レンズ群の焦点距離
ｆ：全系の焦点距離
が満足されていることが望ましい。
【００３７】
なお、条件式(9)が数値範囲を規定している条件については、より好ましくは下記条件式(9-1)、さらに好ましくは下記条件式(9-2)、さらに好ましくは下記条件式(9-3)
０．８＜FB／ｆ＜２．８ ……(9-1)
１．０＜FB／ｆ＜２．３ ……(9-2)
１．４＜FB／ｆ＜２．１ ……(9-3)
が満足されていることが望ましい。
【００３８】
また本発明の撮像レンズにおいては、
第１レンズ群が、最も物体側に配された第１レンズ、この第１レンズの次に像側に配された第２レンズ、この第２レンズの次に像側に配された第３レンズ、およびこの第３レンズの次に像側に配された第４レンズを備えた上で、
下記条件式(10) 
１．５＜(Ｒ7＋Ｒ8)／(Ｒ7−Ｒ8)＜５．０ ……(10)
ただし、
Ｒ7：第４レンズの物体側面の曲率半径
Ｒ8：第４レンズの像側面の曲率半径
が満足されていることが望ましい。
【００３９】
なお、条件式(10)が数値範囲を規定している条件については、より好ましくは下記条件式(10-1)、さらに好ましくは下記条件式(10-2)、さらに好ましくは下記条件式(10-3)
２．０＜(Ｒ7＋Ｒ8)／(Ｒ7−Ｒ8)＜４．８ ……(10-1)
２．６＜(Ｒ7＋Ｒ8)／(Ｒ7−Ｒ8)＜４．５ ……(10-2)
２．８＜(Ｒ7＋Ｒ8)／(Ｒ7−Ｒ8)＜４．０ ……(10-3)
が満足されていることが望ましい。
【００４０】
また本発明の撮像レンズにおいては、
第１レンズ群が、最も物体側に配された第１レンズ、この第１レンズの次に像側に配された第２レンズ、この第２レンズの次に像側に配された第３レンズ、およびこの第３レンズの次に像側に配された第４レンズを備えた上で、
下記条件式(11) 
０．１＜Ｄ6／ｆ＜１．５ ……(11)
Ｄ6：第３レンズと第４レンズとの間の距離
ｆ：全系の焦点距離
が満足されていることが望ましい。
【００４１】
ここで、上記の「第３レンズと第４レンズとの間の距離」とは、第３レンズの像側面と第４レンズの物体側面の面間隔のことである。
【００４２】
なお、条件式(11)が数値範囲を規定している条件については、より好ましくは下記条件式(11-1)、さらに好ましくは下記条件式(11-2)、さらに好ましくは下記条件式(11-3)
０．１５＜Ｄ6／ｆ＜１．３ ……(11-1)
０．２＜Ｄ6／ｆ＜１．０ ……(11-2)
０．２２＜Ｄ6／ｆ＜０．８ ……(11-3)
が満足されていることが望ましい。
【００４３】
また本発明の撮像レンズにおいては、
第１レンズ群が、最も物体側に配された第１レンズ、この第１レンズの次に像側に配された第２レンズ、およびこの第２レンズの次に像側に配された第３レンズを備えた上で、
下記条件式(12)
０．１＜Ｄ4／ｆ＜１．５ ……(12)
ただし、
Ｄ4：第２レンズと第３レンズとの間の距離
ｆ：全系の焦点距離
が満足されていることが望ましい。
【００４４】
ここで、上記の「第２レンズと第３レンズとの間の距離」とは、第２レンズの像側面と第３レンズの物体側面の面間隔のことである。
【００４５】
なお、条件式(12)が数値範囲を規定している条件については、より好ましくは下記条件式(12-1)、さらに好ましくは下記条件式(12-2)、さらに好ましくは下記条件式(12-3)
０．１５＜Ｄ4／ｆ＜１．２ ……(12-1)
０．２＜Ｄ4／ｆ＜１．０ ……(12-2)
０．２１＜Ｄ4／ｆ＜０．７ ……(12-3)
が満足されていることが望ましい。
【００４６】
また本発明の撮像レンズにおいては、
第１レンズ群が、最も物体側に配された第１レンズ、およびこの第１レンズの次に像側に配された第２レンズを備えた上で、
下記条件式(13) 
−３．０＜ｆ1／ｆ2＜−０．０５ ……(13)
ｆ1：第１レンズの焦点距離
ｆ2：第２レンズの焦点距離
が満足されていることが望ましい。
【００４７】
なお、条件式(13)が数値範囲を規定している条件については、例えば、下記条件式(13-1)、(13-2)、(13-3)
−１．８＜ｆ1／ｆ2＜−０．２ ……(13-1)
−１．５＜ｆ1／ｆ2＜−０．２５ ……(13-2)
−１．０＜ｆ1／ｆ2＜−０．２ ……(13-3)
が満足されていることが望ましい。
【００４８】
また本発明の撮像レンズにおいては、
第１レンズ群が、最も物体側に配された第１レンズを備えた上で、
下記条件式(14)
２．０＜L／ｆ＜８．０ ……(14)
ただし、
L：第１レンズの物体側面から像面までの距離（バックフォーカス分は空気換算長）
ｆ：全系の焦点距離
が満足されていることが望ましい。
【００４９】
なお、条件式(14)が数値範囲を規定している条件については、より好ましくは下記条件式(14-1)、さらに好ましくは下記条件式(14-2)、さらに好ましくは下記条件式(14-3)
２．５＜L／ｆ＜７．５ ……(14-1)
３．０＜L／ｆ＜７．０ ……(14-2)
３．５＜L／ｆ＜６．０ ……(14-3)
が満足されていることが望ましい。
【００５０】
また本発明の撮像レンズにおいては、下記条件式(15)
０．３＜Ｂｆ／ｆ＜３．０ ……(15)
ただし、
Ｂｆ：バックフォーカス（空気換算長）
ｆ：全系の焦点距離
が満足されていることが望ましい。
【００５１】
なお、条件式(15)が数値範囲を規定している条件については、より好ましくは下記条件式(15-1)、さらに好ましくは下記条件式(15-2)、さらに好ましくは下記条件式(15-3)
０．５＜Ｂｆ／ｆ＜２．５ ……(15-1)
０．８＜Ｂｆ／ｆ＜２．０ ……(15-2)
１．０＜Ｂｆ／ｆ＜１．８ ……(15-3)
が満足されていることが望ましい。
【００５２】
また本発明の撮像レンズにおいては、
第１レンズ群が、最も物体側に配された第１レンズ、およびこの第１レンズの次に像側に配された第２レンズを備えた上で、
下記条件式(16)
−５．０＜(Ｒ1＋Ｒ2)／(Ｒ1−Ｒ2)＜−０．２ ……(16)
ただし、
Ｒ1：第１レンズの物体側面の曲率半径
Ｒ2：第２レンズの像側面の曲率半径
が満足されていることが望ましい。
【００５３】
なお、条件式(16)が数値範囲を規定している条件については、より好ましくは下記条件式(16-1)、さらに好ましくは下記条件式(16-2)、さらに好ましくは下記条件式(16-3)
−４．０＜(Ｒ1＋Ｒ2)／(Ｒ1−Ｒ2)＜−０．３ ……(16-1)
−３．０＜(Ｒ1＋Ｒ2)／(Ｒ1−Ｒ2)＜−０．４ ……(16-2)
−２．０＜(Ｒ1＋Ｒ2)／(Ｒ1−Ｒ2)＜−０．６ ……(16-3)
が満足されていることが望ましい。
【００５４】
また本発明の撮像レンズにおいては、
第１レンズ群が、最も物体側に配された第１レンズ、この第１レンズの次に像側に配された第２レンズ、この第２レンズの次に像側に配された第３レンズ、この第３レンズの次に像側に配された第４レンズ、およびこの第４レンズの次に像側に配された第５レンズを備えた上で、
下記条件式(17)
−５．０＜(Ｒ9＋Ｒ10)／(Ｒ9−Ｒ10)＜−０．２ ……(17)
ただし、
Ｒ9：第５レンズの物体側面の曲率半径
Ｒ10：第５レンズの像側面の曲率半径
が満足されていることが望ましい。
【００５５】
なお、条件式(17)が数値範囲を規定している条件については、より好ましくは下記条件式(17-1)、さらに好ましくは下記条件式(17-2)、さらに好ましくは下記条件式(17-3)
−４．０＜(Ｒ9＋Ｒ10)／(Ｒ9−Ｒ10)＜−０．３ ……(17-1)
−３．０＜(Ｒ9＋Ｒ10)／(Ｒ9−Ｒ10)＜−０．４ ……(17-2)
−２．０＜(Ｒ9＋Ｒ10)／(Ｒ9−Ｒ10)＜−０．５ ……(17-3)
が満足されていることが望ましい。
【００５６】
ここで、本発明の撮像レンズを構成する各レンズの好ましい形状や、それに関連する詳細構成について説明する。なお以下で説明する第１〜第９レンズとは、先に述べたように間に別のレンズを挟むことなく物体側から第１、第２、第３……第９と順次配置されるレンズを指すものであり、そして第１〜第９レンズのそれぞれの屈折力は前述した屈折力には限定されないものとする。つまりここで言う第１〜第９レンズは配列の順番だけを規定したものである。
【００５７】
第１レンズ群は、少なくとも１つの接合レンズ、特に少なくとも１枚の正レンズと負レンズとを接合してなる接合レンズを含むことが望ましい。
【００５８】
また、第１レンズ群の最も像側から１枚目、２枚目、３枚目のレンズはそれぞれメニスカスレンズであることが望ましい。
【００５９】
また、第１レンズ群の最も像側から１枚目、２枚目、３枚目のレンズはそれぞれ、像側に凸面を向けたレンズであることが望ましい。
【００６０】
第１レンズ群の最も像側のレンズは、正メニスカスレンズであることが望ましい。
【００６１】
第１レンズは両凸レンズであることが望ましい。
【００６２】
また、第１レンズの物体側面の曲率半径絶対値は、該第１レンズの像側面の曲率半径絶対値より小さいことが望ましい。
【００６３】
第２レンズは、物体側に凸面を向けた凹メニスカスレンズであることが望ましい。
【００６４】
第３レンズは両凹レンズであることが望ましい。
【００６５】
また、第３レンズの物体側面の曲率半径絶対値は、該第３レンズの像側面の曲率半径絶対値より大きいことが望ましい。
【００６６】
第４レンズは正レンズであることが望ましい。
【００６７】
また第４レンズは、像側に凸面を向けたメニスカスレンズであることが望ましい。
【００６８】
第５レンズは正レンズであることが望ましい。
【００６９】
また第５レンズは、物体側に凸面を向けたレンズであることが望ましい。
【００７０】
また第５レンズは物体側に凸面を向けた正メニスカスレンズ、もしくは平凸レンズであることが望ましい。
【００７１】
第６レンズは負レンズであることが望ましい。
【００７２】
また第６レンズは両凹レンズであることが望ましい。
【００７３】
また第６レンズの物体側面の曲率半径絶対値は、該第６レンズの像側面の曲率半径絶対値より大きいことが望ましい。
【００７４】
第７レンズは、物体側に凹面を向けたメニスカスレンズであることが望ましい。
【００７５】
また第７レンズは、負レンズであることが望ましい。
【００７６】
第８レンズは、物体側に凹面を向けたメニスカスレンズであることが望ましい。
【００７７】
また第８レンズは、正レンズであることが望ましい。
【００７８】
なお第７レンズと第８レンズは、互いに接合されていることが望ましい。
【００７９】
第９レンズは、物体側に凹面を向けたメニスカスレンズであることが望ましい。
【００８０】
また第９レンズは、正レンズであることが望ましい。
【００８１】
他方、第２レンズ群は少なくとも１つの接合レンズを含むことが望ましい。
【００８２】
また第２レンズ群は、少なくとも１枚の正レンズと負レンズとを接合してなる接合レンズを含むことが望ましい。
【００８３】
また第２レンズ群は、少なくとも２枚以上の負レンズを含むことが望ましい。
【００８４】
また第２レンズ群の最も物体側のレンズは、正レンズであることが望ましい。
【００８５】
また第２レンズ群の最も物体側のレンズは、両凸レンズであることが望ましい。
【００８６】
また第２レンズ群の最も物体側のレンズは、物体側面の曲率半径の絶対値が、像側面の曲率半径の絶対値より小さいレンズであることが望ましい。
【００８７】
第２レンズ群の物体側から２枚目のレンズは、負レンズであることが望ましい。
【００８８】
第２レンズ群の物体側から３枚目のレンズは、正レンズであることが望ましい。
【００８９】
第２レンズ群の物体側から４枚目のレンズは、負レンズであることが望ましい。
【００９０】
また、第２レンズ群の物体側から３枚目のレンズと４枚目のレンズは、互いに接合されていることが望ましい。
【００９１】
第２レンズ群の物体側から５枚目のレンズは、正レンズであることが望ましい。
【００９２】
第２レンズ群の物体側から６枚目のレンズは、正レンズであることが望ましい。
【００９３】
第２レンズ群の最も像側のレンズは、正レンズであることが望ましい。
【００９４】
また、第２レンズ群の最も像側から２枚目のレンズは、正レンズであってもよい。
【００９５】
また第２レンズ群の最も像側のレンズ、および最も像側から２枚目のレンズは、それぞれ像側に凸面を向けたレンズであることが望ましい。
【００９６】
また、第１レンズ群の最も物体側のレンズの物体側面と、第１レンズ群の最も像側のレンズの像側面と、第２レンズ群の最も物体側のレンズの物体側面と、第２レンズ群の最も像側のレンズの像側面はいずれも凸面であることが望ましい。
【００９７】
次に、本発明の撮像レンズを構成する各レンズの好適なアッベ数、部分分散比および屈折率について説明する。なお本発明の撮像レンズにおいて規定されるアッベ数および屈折率は全てｄ線に対するものであり、部分分散比は全てｇ線とＦ線に関するものである。以下では特に必要の無い限り、その旨の説明は省略する。また、以下で説明する第１〜第８レンズとは、先に述べたように間に別のレンズを挟むことなく物体側から第１、第２、第３……第８と順次配置されるレンズを指すものであり、そして第１〜第８レンズのそれぞれの屈折力は前述した屈折力には限定されないものとする。つまりここで言う第１〜第８レンズは配列の順番だけを規定したものである。
【００９８】
まず、第１レンズのアッベ数は３０以上、より好ましくは３５以上であることが望ましい。
【００９９】
第２レンズのアッベ数は５０以上、より好ましくは５５以上、さらに好ましくは６０以上、さらに好ましくは６５以上であることが望ましい。
【０１００】
第３レンズのアッベ数は３０以下、より好ましくは２８以下、さらに好ましくは２７以下であることが望ましい。
【０１０１】
また第３レンズのアッベ数は、２０以上であることが望ましい。
【０１０２】
また第３レンズに関しては、アッベ数が１５〜３０の間にあると共に、部分分散比が０．６以上、より好ましくは０．６１以上であることが望ましい。
【０１０３】
第４レンズのアッベ数は４０以下、より好ましくは３５以下であることが望ましい。
【０１０４】
また第４レンズに関しては、アッベ数が２２〜４０の間にあると共に、部分分散比が０．５８以上であることが望ましい。
【０１０５】
第５レンズのアッベ数は４０以下、より好ましくは３５以下であることが望ましい。
【０１０６】
また第５レンズに関しては、アッベ数が２２〜４０の間にあると共に、部分分散比が０．５８以上であることが望ましい。
【０１０７】
第６レンズのアッベ数は２５以上、より好ましくは３０以上であることが望ましい。
【０１０８】
また第６レンズのアッベ数は５５以下、より好ましくは５０以下であることが望ましい。
【０１０９】
第７レンズのアッベ数は１５以上、より好ましくは１８以上、さらに好ましくは２０以上であることが望ましい。
【０１１０】
また第７レンズのアッベ数は３３以下、より好ましくは３０以下、さらに好ましくは２８以下であることが望ましい。
【０１１１】
第８レンズのアッベ数は５０以上、より好ましくは５５以上、さらに好ましくは６０以上、さらに好ましくは７０以上であることが望ましい。
【０１１２】
他方、第１レンズ群の最も像側のレンズのアッベ数は４０以下、より好ましくは３０以下、さらに好ましくは２８以下であることが望ましい。
【０１１３】
第１レンズ群の最も像側から２枚目のレンズのアッベ数は５０以上、より好ましくは５５以上、さらに好ましくは６０以上、さらに好ましくは６５以上であることが望ましい。
【０１１４】
第１レンズ群の最も像側から３枚目のレンズのアッベ数は３０以下、より好ましくは２８以下、さらに好ましくは２６以下であることが望ましい。
【０１１５】
第２レンズ群の最も物体側のレンズのアッベ数は３０以上、より好ましくは３５以上、さらに好ましくは３８以上であることが望ましい。
【０１１６】
第２レンズ群の最も物体側から２枚目のレンズのアッベ数は２０以上、より好ましくは３０以上であることが望ましい。
【０１１７】
第２レンズ群の最も物体側から３枚目のレンズのアッベ数は４０以上、より好ましくは５０以上、さらに好ましくは６０以上であることが望ましい。
【０１１８】
第２レンズ群の最も物体側から４枚目のレンズのアッベ数は３０以下、より好ましくは２９以下、さらに好ましくは２８以下であることが望ましい。
【０１１９】
第２レンズ群の最も像側のレンズのアッベ数は４０以上、より好ましくは４５以上、さらに好ましくは５０以上であることが望ましい。
【０１２０】
第２レンズ群の最も像側から２枚目のレンズのアッベ数は４０以上、より好ましくは４５以上、さらに好ましくは４８以上であることが望ましい。
【０１２１】
第２レンズ群に接合レンズが用いられている場合、それを構成する正レンズのアッベ数は４０以上、より好ましくは５０以上、さらに好ましくは６０以上であることが望ましい。
【０１２２】
第２レンズ群に接合レンズが用いられている場合、それを構成する負レンズのアッベ数は３０以下、より好ましくは２９以下、さらに好ましくは２８以下であることが望ましい。
【０１２３】
第１レンズの屈折率は１．７より大きい、より好ましくは１．７５より大きいことが望ましい。
【０１２４】
また、第１レンズの屈折率は１．９より小さいことが望ましい。
【０１２５】
他方、本発明による撮像装置は、以上説明した本発明による撮像レンズを備えたことを特徴とするものである。
【発明の効果】
【０１２６】
本発明による第１の撮像レンズは、
物体側から順に、正の屈折力を有する第１レンズ群、および正の屈折力を有する第２レンズ群が配置されて実質的になり、
第２レンズ群全体を光軸に沿って移動させることでフォーカシングを行うように構成され、
第１レンズ群が、最も物体側に配された正の第１レンズ、この第１レンズの次に像側に配された負の第２レンズ、この第２レンズの次に像側に配された負の第３レンズ、この第３レンズの次に像側に配された正の第４レンズ、およびこの第４レンズの次に像側に配された正の第５レンズを備え、
そして第２レンズ、第３レンズのｄ線に対する各アッベ数をそれぞれνｄ2、νｄ3として下記条件式(1) 
２．０＜νｄ2 ／νｄ3 ……(1)
を満足していることにより、以下の効果を奏するものとなる。
【０１２７】
まず、最も物体側に正レンズを配置したことにより、ディストーションの補正が容易となる。
【０１２８】
また、第２レンズおよび第３レンズを負レンズとしたことにより、レンズ系を広角化することが容易となる。
【０１２９】
また、第４レンズおよび第５レンズを正レンズとしたことにより、球面収差を補正することが容易となる。
【０１３０】
そして、νｄ2 ／νｄ3の値を条件式（１）の下限値を上回るものとすることにより、第２レンズのアッベ数を大きくすることが容易になることから軸上の色収差を容易に補正可能となるか、あるいは第３レンズのアッベ数を小さくして該第３レンズの部分分散比を大きくすることが容易になることから、倍率の色収差を容易に補正可能となる。
【０１３１】
一方、本発明による第２の撮像レンズは、
物体側から順に、正の第１レンズ群、および正の第２レンズ群が配置されて実質的になり、
第２レンズ群全体を光軸に沿って移動させることでフォーカシングを行うように構成され、
前記第１レンズ群の、最も像側のレンズ、最も像側から２枚目のレンズ、および最も像側から３枚目のレンズが全て像側に凸面を向けたメニスカスレンズとされたことにより、球面収差を良好に補正することが容易となる。
【０１３２】
また本発明の撮像装置は、本発明による第１の撮像レンズを備えた場合は、上に述べたのと同様にディストーションの補正が容易となる、レンズ系を広角化することが容易となる、球面収差を補正することが容易となる、軸上の色収差を容易に補正可能となるか、あるいは倍率の色収差を容易に補正可能となる、という点から良好な画像を取得できるものとなる。
【０１３３】
また本発明の撮像装置が、本発明による第２の撮像レンズを備えた場合は、上に述べたのと同様に球面収差を良好に補正することが容易になる、という点から良好な画像を取得できるものとなる。
【図面の簡単な説明】
【０１３４】
【図１】本発明の一実施形態に係る撮像レンズのレンズ構成を示す断面図
【図２】本発明の実施例１の撮像レンズのレンズ構成を示す断面図
【図３】本発明の実施例２の撮像レンズのレンズ構成を示す断面図
【図４】本発明の実施例３の撮像レンズのレンズ構成を示す断面図
【図５】本発明の実施例４の撮像レンズのレンズ構成を示す断面図
【図６】本発明の実施例５の撮像レンズのレンズ構成を示す断面図
【図７】本発明の実施例６の撮像レンズのレンズ構成を示す断面図
【図８】本発明の実施例７の撮像レンズのレンズ構成を示す断面図
【図９】上記実施例１に係る撮像レンズの各収差図
【図１０】上記実施例２に係る撮像レンズの各収差図
【図１１】上記実施例３に係る撮像レンズの各収差図
【図１２】上記実施例４に係る撮像レンズの各収差図
【図１３】上記実施例５に係る撮像レンズの各収差図
【図１４】上記実施例６に係る撮像レンズの各収差図
【図１５】上記実施例７に係る撮像レンズの各収差図
【図１６】本発明の一実施形態に係る撮像装置を示す概略構成図
【発明を実施するための形態】
【０１３５】
以下、本発明の実施形態について図面を参照して詳細に説明する。図１は、本発明の一実施形態に係る撮像レンズのレンズ構成を光路と共に示す断面図である。この図１に示す例は、後述する実施例１に対応している。図１においては、左側が物体側、右側が像側であり、無限遠物体に合焦した状態を示している。
【０１３６】
なお、この撮像レンズを撮像装置に適用する際には、レンズを装着するカメラ側の構成に応じて、光学系と像面Ｓｉｍの間にカバーガラス、赤外線カットフィルタやローパスフィルタなどの各種フィルタを配置することが好ましい。そこで図１では、これらを想定した平行平板状の光学部材ＰＰをレンズ系と像面Ｓｉｍとの間に配置した例を示しているが、光学部材ＰＰは本発明の撮像レンズに必須の構成要素ではない。
【０１３７】
本実施形態の撮像レンズは、光軸Ｚに沿って物体側から順に、正の屈折力を有する第１レンズ群Ｇ１、および正の屈折力を有する第２レンズ群Ｇ２を配置して構成されている。フォーカシングは、第２レンズ群Ｇ２全体を光軸Ｚに沿って移動させることで行われる。
【０１３８】
第１レンズ群Ｇ１は、光軸Ｚに沿って物体側から順に正の第１レンズＬ１１、負の第２レンズＬ１２、負の第３レンズＬ１３、正の第４レンズＬ１４、正の第５レンズＬ１５、負の第６レンズＬ１６、負の第７レンズＬ１７、正の第８レンズＬ１８、および正の第９レンズＬ１９を配置して構成されている。なお第７レンズＬ１７と第８レンズＬ１８は互いに接合されている。
【０１３９】
一方第２レンズ群Ｇ２は、光軸Ｚに沿って物体側から順に正レンズＬ２１、負レンズＬ２２、正レンズＬ２３、負レンズＬ２４、正レンズＬ２５、および正レンズＬ２６を配置して構成されている。なお正レンズＬ２３と負レンズＬ２４は互いに接合されている。
【０１４０】
第１レンズ群Ｇ１と第２レンズ群Ｇ２との間には、開口絞りＳｔが設けられている。ただし、図１に示す開口絞りＳｔは必ずしも大きさや形状を表すものではなく、光軸Ｚ上の位置を示すものである。このように開口絞りＳｔが第１レンズ群Ｇ１と第２レンズ群Ｇ２との間に配置されていることから、レンズ外径を抑えることが容易となり、レンズ系の小型化が容易となる。
【０１４１】
また本実施形態では、開口絞りＳｔの前後に配された第１レンズ群Ｇ１および第２レンズ群Ｇ２が共に正の屈折力を有するものとされているので、開口絞りＳｔの前後で発生する収差を打ち消し合わせることが容易となり、そこで球面収差、非点収差、およびコマ収差の補正が容易となる。
【０１４２】
本実施形態においては、上記第２レンズＬ１２、第３レンズＬ１３のｄ線に対する各アッベ数をそれぞれνｄ2、νｄ3として下記条件式(1) 
２．０＜νｄ2 ／νｄ3 ……(1)
が満足されている。なお後述する表１５には、この条件式(1)並びに前述したその他の条件式(2)〜(17)が数値範囲を規定している条件の値を、実施例毎にまとめて示してある。この表１５に示されている通り、実施例１に対応する本実施形態では、νｄ2 ／νｄ3の値は具体的に３．４３である。
【０１４３】
本実施形態においては、最も物体側に正レンズである第１レンズＬ１１が配置されたことにより、ディストーションの補正が容易となる。また、第２レンズＬ１２および第３レンズＬ１３が負レンズとされたことにより、レンズ系を広角化することが容易となる。また、第４レンズＬ１４および第５レンズＬ１５が正レンズとされたことにより、球面収差を補正することが容易となる。
【０１４４】
そして、νｄ2 ／νｄ3の値を条件式(1)の下限値を上回る範囲とすることにより、第２レンズＬ１２のアッベ数を大きくすることが容易になることから軸上の色収差を容易に補正可能となるか、あるいは第３レンズＬ１３のアッベ数を小さくして該第３レンズＬ１３の部分分散比を大きくすることが容易になることから、軸上の色収差および倍率の色収差を容易に補正可能となる。
【０１４５】
なお、条件式(1)を満足することによる上記効果を一層高めるためには、条件式(1)が規定している条件の下限を２．５とすることが好ましく、３．０とすることがさらに好ましい。すなわち、より好ましくは下記条件式(1-1)、さらに好ましくは下記条件式(1-2)
２．５＜νｄ2／νｄ3 ……(1-1)
３．０＜νｄ2／νｄ3 ……(1-2)
が満足されることが望ましい。
【０１４６】
また上記νｄ2／νｄ3 の値については、下記条件式(1-3)
２．０＜νｄ2／νｄ3＜５．０ ……(1-3)
が満足されることも望ましい。このようにνｄ2／νｄ3 の値の上限を５．０とすることにより、レンズ材料のコストを抑えることが容易となる。さらに、νｄ2／νｄ3 の値の上限は４．０とすることが好ましく、その場合は上記の効果がより顕著なものとなる。
【０１４７】
また本実施形態では、第１レンズ群Ｇ１の最も像側のレンズである第９レンズＬ１９、最も像側から２枚目のレンズである第８レンズＬ１８、および最も像側から３枚目のレンズである第７レンズＬ１７が全て像側に凸面を向けたメニスカスレンズとされていることにより、球面収差を良好に補正することが容易となる。
【０１４８】
また本実施形態では、第１レンズ群Ｇ１の最も像側のレンズである第９レンズＬ１９が正レンズとされ、最も像側から２枚目のレンズである第８レンズＬ１８が正レンズとされ、そして最も像側から３枚目のレンズである第７レンズＬ１７が負レンズとされていることにより、球面収差を良好に補正することが容易となる。
【０１４９】
また本実施形態では、最も物体側に正の第１レンズＬ１１が配置され、その後に２枚以上の負のレンズ（具体的には第２レンズＬ１２および第３レンズＬ１３）が配置されているので、広角であり、長いバックフォーカスを確保しながらディストーションの補正が容易となる。
【０１５０】
また、第４〜第５レンズとして正の第４レンズＬ１４、正の第５レンズＬ１５が配置されたことにより、像面湾曲と球面収差の補正が容易となる。さらに第６〜第９レンズとして、負の第６レンズＬ１６、負の第７レンズＬ１７、正の第８レンズＬ１８、および正の第９レンズＬ１９が配置されたことにより、球面収差、像面湾曲と共に、軸上の色収差、倍率の色収差を良好に補正することが容易となる。
【０１５１】
また本実施形態では、第１レンズ群Ｇ１の焦点距離をFA、第２レンズ群Ｇ２の焦点距離をFBとして下記条件式(2)
１．０＜FA／FB＜８．０ ……(2)
が満足されている。具体的に実施例１において、FA／FBの値は表１５に示される通り４．４６である。
【０１５２】
FA／FBの値を条件式(2)の上限値未満とすることにより、第１レンズ群Ｇ１のパワーが弱くなり過ぎるのを抑えることが容易になって径の小型化が容易となるか、あるいは第２レンズ群Ｇ２のパワーが強くなり過ぎるのを抑えることが容易になってバックフォーカスの確保が容易となる。その一方、FA／FBの値を条件式(2)の下限値より大とすることにより、第１レンズ群Ｇ１のパワーが正で強くなり過ぎるのを抑えることが容易になって広角化が容易となるか、あるいは第２レンズ群Ｇ２のパワーが弱くなり過ぎるのを抑えることが容易になって周辺光線が撮像素子へ入射する角度を抑えることが容易となる。
【０１５３】
なお、条件式(2)を満足することによる上記効果を一層高めるためには、条件式(2)が規定している条件の上限を７．０とすることが好ましく、６．０とすることがより好ましく、５．０とすることがさらに好ましい。また上述の効果を一層高めるためには、条件式(2)が規定している条件の下限を１．５とすることが好ましく、２．０とすることがより好ましく、２．２とすることがさらに好ましい。すなわち上記効果は、例えば、下記条件式(2-1)、(2-2)、あるいは(2-3)
１．５＜FA／FB＜７．０ ……(2-1)
２．０＜FA／FB＜６．０ ……(2-2)
２．２＜FA／FB＜５．０ ……(2-3)
が満足されれば、より高いものとなる。
【０１５４】
また本実施形態では、第１レンズ群Ｇ１が最も物体側に配された第１レンズＬ１１を備えた上で、この第１レンズＬ１１の焦点距離をｆ1、全系の焦点距離ｆとしたとき、下記条件式(3)
１＜ｆ1／ｆ＜６ ……(3)
が満足されている。具体的に実施例１において、ｆ1／ｆの値は表１５に示される通り３．６３である。
【０１５５】
ｆ1／ｆの値を条件式(3)の上限値未満とすることにより、ディストーションの補正が容易となる。その一方、ｆ1／ｆの値を条件式(3)の下限値より大とすることにより、広角化が容易となる。なお以上述べた効果を得る上で、第１レンズＬ１１のパワーは、本実施形態におけるパワーに限定されるものではない。
【０１５６】
条件式(3)を満足することによる上記効果を一層高めるためには、条件式(3)が規定している条件の上限を５．５とすることが好ましく、５．０とすることがより好ましく、４．５とすることがさらに好ましい。また上記効果を一層高めるためには、条件式(3)が規定している条件の下限を２とすることが好ましく、２．５とすることがより好ましく、３とすることがさらに好ましい。すなわち上記効果は、例えば、下記条件式(3-1)、(3-2)、あるいは(3-3)
２＜ｆ1／ｆ＜５．５ ……(3-1)
２．５＜ｆ1／ｆ＜４．５ ……(3-2)
３＜ｆ1／ｆ＜５ ……(3-3)
が満足されれば、より高いものとなる。
【０１５７】
また本実施形態では、第２レンズ群Ｇ２の最も像側のレンズが正レンズＬ２６とされた上で、該最も像側の正レンズＬ２６の物体側面の曲率半径、像側面の曲率半径をそれぞれＲLF、ＲLBとしたとき、下記条件式(4)
０．５＜(ＲLF＋ＲLB)／(ＲLF−ＲLB)＜３．０ ……(4)
が満足されている。具体的に実施例１において、(ＲLF＋ＲLB)／(ＲLF−ＲLB)の値は表１５に示される通り１．００である。
【０１５８】
(ＲLF＋ＲLB)／(ＲLF−ＲLB)の値を条件式(4)の上限値未満とすることにより、正レンズＬ２６の両面（前後レンズ面）の曲率半径が近くなり過ぎるのを抑えることが容易になって、該正レンズＬ２６のパワーが弱くなるのを防ぐことが容易となり、その結果、周辺光線が撮像素子へ入射する角度を抑えることが容易となる。その一方、(ＲLF＋ＲLB)／(ＲLF−ＲLB)の値を条件式(4)の下限値より大とすることにより、正レンズＬ２６の両面の曲率半径の差を大きくすることが容易になり、その結果、非点収差とコマ収差の補正が容易となる。
【０１５９】
なお、条件式(4)を満足することによる上記効果を一層高めるためには、条件式(4)が規定している条件の上限を２．５とすることがより好ましく、２．０とすることがさらに好ましく、１．５とすることがさらに好ましい。また上述の効果を一層高めるためには、条件式(4)が規定している条件の下限を０．５５とすることがより好ましく、０．６とすることがさらに好ましい。すなわち上記効果は、例えば、下記条件式(4-1)、(4-2)、あるいは(4-3)
０．５＜(ＲLF＋ＲLB)／(ＲLF−ＲLB)＜２．５ ……(4-1)
０．５５＜(ＲLF＋ＲLB)／(ＲLF−ＲLB)＜２．０ ……(4-2)
０．６＜(ＲLF＋ＲLB)／(ＲLF−ＲLB)＜１．５ ……(4-3)
が満足されれば、より高いものとなる。
【０１６０】
また本実施形態では、第２レンズ群Ｇ２の最も像側から２枚目のレンズが正レンズＬ２５とされた上で、該最も像側から２枚目の正レンズＬ２５の物体側面の曲率半径、像側面の曲率半径をそれぞれＲL2F、ＲL2Bとしたとき、下記条件式 (5)
０．３＜(ＲL2F＋ＲL2B)／(ＲL2F−ＲL2B)＜３．０ ……(5)
が満足されている。具体的に実施例１において、(ＲL2F＋ＲL2B)／(ＲL2F−ＲL2B)の値は表１５に示される通り１．６７である。
【０１６１】
(ＲL2F＋ＲL2B)／(ＲL2F−ＲL2B)の値を条件式(5)の上限値未満とすることにより、正レンズＬ２５の両面（前後レンズ面）の曲率半径が近くなり過ぎるのを抑えることが容易になって、該正レンズＬ２５のパワーが弱くなるのを防ぐことが容易となり、その結果、周辺光線が撮像素子へ入射する角度を抑えることが容易となる。その一方、(ＲL2F＋ＲL2B)／(ＲL2F−ＲL2B)の値を条件式(5)の下限値より大とすることにより、正レンズＬ２５の両面の曲率半径の差を大きくすることが容易になり、その結果、非点収差とコマ収差の補正が容易となる。
【０１６２】
なお、条件式(5)を満足することによる上記効果を一層高めるためには、条件式(5)が規定している条件の上限を２．５とすることが好ましく、２．０とすることがより好ましく、１．８とすることがさらに好ましい。また上述の効果を一層高めるためには、条件式(5)が規定している条件の下限を０．８とすることが好ましく、１．２とすることがより好ましく、１．４とすることがさらに好ましい。すなわち上記効果は、例えば、下記条件式(5-1)、(5-2)、あるいは(5-3)
０．８＜(ＲL2F＋ＲL2B)／(ＲL2F−ＲL2B)＜２．５ ……(5-1)
１．２＜(ＲL2F＋ＲL2B)／(ＲL2F−ＲL2B)＜２．０ ……(5-2)
１．４＜(ＲL2F＋ＲL2B)／(ＲL2F−ＲL2B)＜１．８ ……(5-3)
が満足されれば、より高いものとなる。
【０１６３】
また本実施形態では、第２レンズ群Ｇ２の最も像側のレンズである正レンズＬ２６と、最も像側から２枚目のレンズである正レンズＬ２５が共に、像側に凸面を向けたレンズとされている。これにより、非点収差とコマ収差の補正が容易となる。
【０１６４】
また本実施形態では、第１レンズ群Ｇ１が物体側から順に配された第１レンズＬ１１、第２レンズＬ１２、第３レンズＬ１３、および第４レンズＬ１４を備えた上で、第１レンズＬ１１から第４レンズＬ１４までの合成焦点距離をｆ1234、全系の焦点距離をｆとしたとき、下記条件式(6)
−３．０＜ｆ1234／ｆ＜−０．５ ……(6)
が満足されている。具体的に実施例１において、ｆ1234／ｆの値は表１５に示される通り−１．４２である。
【０１６５】
ｆ1234／ｆの値を条件式(6)の上限値未満とすることにより、第１レンズＬ１１から第４レンズＬ１４までの合成焦点距離が負の値で小さくなり過ぎるのを抑えることが容易となって、非点収差の補正が容易となる。その一方、ｆ1234／ｆの値を条件式(6)の下限値より大とすることにより、第１レンズＬ１１から第４レンズＬ１４までの合成焦点距離が負の値で大きくなり過ぎるのを抑えることが容易となって、広角化が容易となる。なお以上述べた効果を得る上で、第１レンズＬ１１から第４レンズＬ１４までのレンズのパワー配列は、本実施形態における配列に限定されるものではない。
【０１６６】
条件式(6)を満足することによる上記効果を一層高めるためには、条件式(6)が規定している条件の上限を−０．７とすることがより好ましく、−０．９とすることがさらに好ましく、−１．２とすることがさらに好ましい。また上述の効果を一層高めるためには、条件式(6)が規定している条件の下限を−２．５とすることがより好ましく、−２．０とすることがさらに好ましく、−１．９とすることがさらに好ましい。すなわち上記効果は、例えば、下記条件式(6-1)、(6-2)、あるいは(6-3)
−２．５＜ｆ1234／ｆ＜−０．７ ……(6-1)
−２．０＜ｆ1234／ｆ＜−０．９ ……(6-2)
−１．９＜ｆ1234／ｆ＜−１．２ ……(6-3)
が満足されれば、より高いものとなる。
【０１６７】
また本実施形態では、第１レンズ群Ｇ１が物体側から順に配された第１レンズＬ１１、第２レンズＬ１２、および第３レンズＬ１３を備えた上で、第１レンズＬ１１から第３レンズＬ１３までの合成焦点距離をｆ123、全系の焦点距離をｆとしたとき、条件式(7)
−３．０＜ｆ123／ｆ＜−０．２ ……(7)
が満足されている。具体的に実施例１において、ｆ123／ｆの値は表１５に示される通り−０．８５である。
【０１６８】
ｆ123／ｆの値を条件式(7)の上限値未満とすることにより、第１レンズＬ１１から第３レンズＬ１３までの合成焦点距離が負の値で小さくなり過ぎるのを抑えることが容易となって、像面湾曲の補正が容易となる。その一方、ｆ123／ｆの値を条件式(7)の下限値より大とすることにより、第１レンズＬ１１から第３レンズＬ１３までの合成焦点距離が負の値で大きくなり過ぎるのを抑えることが容易となって、広角化が容易となる。なお以上述べた効果を得る上で、第１レンズＬ１１から第３レンズＬ１３までのレンズのパワー配列は、本実施形態における配列に限定されるものではない。
【０１６９】
条件式(7)を満足することによる上記効果を一層高めるためには、条件式(7)が規定している条件の上限を−０．４とすることがより好ましく、−０．６とすることがさらに好ましく、−０．７とすることがさらに好ましい。また上述の効果を一層高めるためには、条件式(7)が規定している条件の下限を−２．５とすることがより好ましく、−２．０とすることがさらに好ましく、−１．５とすることがさらに好ましい。すなわち上記効果は、例えば、下記条件式(7-1)、(7-2)、あるいは(7-3)
−２．５＜ｆ123／ｆ＜−０．４ ……(7-1)
−２．０＜ｆ123／ｆ＜−０．５ ……(7-2)
−１．５＜ｆ123／ｆ＜−０．７ ……(7-3)
が満足されれば、より高いものとなる。
【０１７０】
また本実施形態では、第１レンズ群Ｇ１の最も物体側のレンズである第１レンズＬ１１が両凸レンズとされている。それにより、ディストーションの補正が容易となる。
【０１７１】
また本実施形態では、第１レンズ群Ｇ１が物体側から順に配された第１レンズＬ１１、第２レンズＬ１２、第３レンズＬ１３、第４レンズＬ１４、および第５レンズＬ１５を備えた上で、第４レンズＬ１４および第５レンズＬ１５の各ｄ線に対するアッベ数νｄ4、νｄ5が共に４５以下とされている。具体的に実施例１において、アッベ数νｄ4、νｄ5の値は後述する表１に示される通り共に３１．３２である。このようにアッベ数νｄ4、νｄ5を共に４５以下とすることにより、倍率の色収差を補正することが容易となる。なお以上述べた効果を得る上で、第１レンズＬ１１から第５レンズＬ１５までのレンズのパワー配列は、本実施形態における配列に限定されるものではない。
【０１７２】
また本実施形態では、第１レンズ群Ｇ１の焦点距離をFA、全系の焦点距離をｆとして、下記条件式(8)
２＜FA／ｆ＜１２．０ ……(8)
が満足されている。具体的に実施例１において、FA／ｆの値は表１５に示される通り７．６９である。
【０１７３】
FA／ｆの値を条件式(8)の上限値未満とすることにより、第１レンズ群Ｇ１のパワーが弱くなり過ぎるのを抑えることが容易となり、系の小型化が容易となる。その一方、FA／ｆの値を条件式(8)の下限値より大とすることにより、第１レンズ群Ｇ１のパワーが強くなり過ぎるのを抑えることが容易となり、その結果、広角化が容易となるか、あるいは像面湾曲の補正が容易となる。
【０１７４】
なお、条件式(8)を満足することによる上記効果を一層高めるためには、条件式(8)が規定している条件の上限を１０．０とすることがより好ましく、９．０とすることがさらに好ましく、８．０とすることがさらに好ましい。条件式(8)を満足することによる下記効果を一層高めるためには、条件式(8)が規定している条件の上限を３．０とすることがより好ましく、４．０とすることがさらに好ましく、５．０とすることがさらに好ましい。すなわち上記効果は、例えば、下記条件式(8-1)、(8-2)、あるいは(8-3)
３＜FA／ｆ＜１０．０ ……(8-1)
４＜FA／ｆ＜９．０ ……(8-2)
５＜FA／ｆ＜８．０ ……(8-3)
が満足されれば、より高いものとなる。
【０１７５】
また本実施形態では、第２レンズ群Ｇ２の焦点距離をFB、全系の焦点距離をｆとして、下記条件式(9)
０．５＜FB／ｆ＜３．０ ……(9)
が満足されている。具体的に実施例１において、FB／ｆの値は表１５に示される通り１．７３である。
【０１７６】
FB／ｆの値を条件式(9)の上限値未満とすることにより、第２レンズ群Ｇ２のパワーが弱くなり過ぎるのを防ぐことが容易となり、周辺光線が撮像に入射する角度を抑えることが容易となる。その一方、FB／ｆの値を条件式(9)の下限値より大とすることにより、第２レンズ群Ｇ２のパワーが強くなり過ぎるのを防ぐことが容易となるので、バックフォーカスを長くすることが容易となると共に、像面湾曲の補正が容易となる。
【０１７７】
なお、条件式(9)を満足することによる上記効果を一層高めるためには、条件式(9)が規定している条件の上限を２．８とすることがより好ましく、２．３とすることがさらに好ましく、２．１とすることがさらに好ましい。また上述の効果を一層高めるためには、条件式(9)が規定している条件の下限を０．８とすることがより好ましく、１．０とすることがさらに好ましく、１．４とすることがさらに好ましい。すなわち上記効果は、例えば、下記条件式(9-1)、(9-2)、あるいは(9-3)
０．８＜FB／ｆ＜２．８ ……(9-1)
１．０＜FB／ｆ＜２．３ ……(9-2)
１．４＜FB／ｆ＜２．１ ……(9-3)
が満足されれば、より高いものとなる。
【０１７８】
また本実施形態では、第１レンズ群Ｇ１が物体側から順に配された第１レンズＬ１１、第２レンズＬ１２、第３レンズＬ１３、および第４レンズＬ１４を備えた上で、第４レンズＬ１４の物体側面の曲率半径、像側面の曲率半径をそれぞれＲ7、Ｒ8としたとき、下記条件式(10)
１．５＜(Ｒ7＋Ｒ8)／(Ｒ7−Ｒ8)＜５．０ ……(10)
が満足されている。具体的に実施例１において、(Ｒ7＋Ｒ8)／(Ｒ7−Ｒ8)の値は表１５に示される通り３．７８である。
【０１７９】
(Ｒ7＋Ｒ8)／(Ｒ7−Ｒ8)の値を条件式(10)の上限値未満とすることにより、第４レンズＬ１４の前後面の曲率半径が近くなり過ぎるのを抑えることが容易となり、そこで球面収差の補正が容易となる。その一方、(Ｒ7＋Ｒ8)／(Ｒ7−Ｒ8)の値を条件式(10)の下限値より大とすることにより、第４レンズＬ１４の前後面の曲率半径に差をつけることが容易となり、そこで非点収差の補正が容易となる。なお以上述べた効果を得る上で、第１レンズＬ１１から第４レンズＬ１４までのレンズのパワー配列は、本実施形態における配列に限定されるものではない。
【０１８０】
条件式(10)を満足することによる上記効果を一層高めるためには、条件式(10)が規定している条件の上限を４．８とすることがより好ましく、４．５とすることがさらに好ましく、４．０とすることがさらに好ましい。また上述の効果を一層高めるためには、条件式(10)が規定している条件の下限を２．０とすることがより好ましく、２．６とすることがさらに好ましく、２．８とすることがさらに好ましい。すなわち上記効果は、例えば、下記条件式(10-1)、(10-2)、あるいは(10-3)
２．０＜(Ｒ7＋Ｒ8)／(Ｒ7−Ｒ8)＜４．８ ……(10-1)
２．６＜(Ｒ7＋Ｒ8)／(Ｒ7−Ｒ8)＜４．５ ……(10-2)
２．８＜(Ｒ7＋Ｒ8)／(Ｒ7−Ｒ8)＜４．０ ……(10-3)
が満足されれば、より高いものとなる。
【０１８１】
また本実施形態では、第１レンズ群Ｇ１が物体側から順に配された第１レンズＬ１１、第２レンズＬ１２、第３レンズＬ１３、および第４レンズＬ１４を備えた上で、第３レンズＬ１３と第４レンズＬ１４との間の距離をＤ6、全系の焦点距離をｆとしたとき、下記条件式(11)
０．１＜Ｄ6／ｆ＜１．５ ……(11)
が満足されている。なお上記の距離Ｄ6は、第３レンズＬ１３の像側面と第４レンズＬ１４の物体側面の面間隔のことである。具体的に実施例１において、Ｄ6／ｆの値は表１５に示される通り０．３８である。
【０１８２】
Ｄ6／ｆの値を条件式(11)の上限値未満とすることにより、レンズ系の小型化が容易となる。その一方、Ｄ6／ｆの値を条件式(11)の下限値より大とすることにより、バックフォーカスを長く確保することが容易となる。なお以上述べた効果を得る上で、第１レンズＬ１１から第４レンズＬ１４までのレンズのパワー配列は、本実施形態における配列に限定されるものではない。
【０１８３】
条件式(11)を満足することによる上記効果を一層高めるためには、条件式(11)が規定している条件の上限を１．３とすることがより好ましく、１．０とすることがさらに好ましく、０．８とすることがさらに好ましく、０．５とすることがさらに好ましい。また上述の効果を一層高めるためには、条件式(11)が規定している条件の下限を０．１５とすることがより好ましく、０．２とすることがさらに好ましく、０．２２とすることがさらに好ましい。すなわち上記効果は、例えば、下記条件式(11-1)、(11-2)、あるいは(11-3)
０．１５＜Ｄ6／ｆ＜１．３ ……(11-1)
０．２＜Ｄ6／ｆ＜１．０ ……(11-2)
０．２２＜Ｄ6／ｆ＜０．８ ……(11-3)
が満足されれば、より高いものとなる。
【０１８４】
また本実施形態では、第１レンズ群Ｇ１が物体側から順に配された第１レンズＬ１１、第２レンズＬ１２、および第３レンズＬ１３を備えた上で、第２レンズＬ１２と第３レンズＬ１３との間の距離をＤ4、全系の焦点距離をｆとしたとき、下記条件式(12) 
０．１＜Ｄ4／ｆ＜１．５ ……(12)
が満足されている。なお上記の距離Ｄ4は、第２レンズＬ１２の像側面と第３レンズＬ１３の物体側面の面間隔のことである。具体的に実施例１において、Ｄ4／ｆの値は表１５に示される通り０．３４である。
【０１８５】
Ｄ4／ｆの値を条件式(12)の上限値未満とすることにより、第２レンズＬ１２と第３レンズＬ１３の間隔が広くなり過ぎるのを抑えることが容易となり、それらのレンズのレンズ径を小さくすることが容易となる。その一方、Ｄ4／ｆの値を条件式(12)の下限値より大とすることにより、第２レンズＬ１２と第３レンズＬ１３の間隔を広くすることで、それらのレンズで中心光束と周辺光束を分離することが容易となり、その結果、広角化と共にディストーションの補正が容易となる。なお以上述べた効果を得る上で、第１レンズＬ１１から第３レンズＬ１３までのレンズのパワー配列は、本実施形態における配列に限定されるものではない。
【０１８６】
条件式(12)を満足することによる上記効果を一層高めるためには、条件式(12)が規定している条件の上限を１．２とすることがより好ましく、１．０とすることがさらに好ましく、０．７とすることがさらに好ましく０．５とすることがさらに好ましい。また上述の効果を一層高めるためには、条件式(12)が規定している条件の下限を０．１５とすることがより好ましく、０．２とすることがさらに好ましく、０．２１とすることがさらに好ましい。すなわち上記効果は、例えば、下記条件式(12-1)、(12-2)、あるいは(12-3)
０．１５＜Ｄ4／ｆ＜１．２ ……(12-1)
０．２＜Ｄ4／ｆ＜１．０ ……(12-2)
０．２１＜Ｄ4／ｆ＜０．７ ……(12-3)
が満足されれば、より高いものとなる。
【０１８７】
また本実施形態では、第１レンズ群Ｇ１が物体側から順に配された第１レンズＬ１１、および第２レンズＬ１２を備えた上で、第１レンズＬ１１の焦点距離をｆ1、第２レンズＬ１２の焦点距離をｆ2としたとき、下記条件式(13)
−３．０＜ｆ1／ｆ2＜−０．０５ ……(13)
が満足されている。具体的に実施例１において、ｆ1／ｆ2の値は表１５に示される通り−０．３５である。
【０１８８】
ｆ1／ｆ2の値を条件式(13)の上限値未満とすることにより、第１レンズＬ１１のパワーが強くなり過ぎるのを抑えることが容易となるか、第２レンズＬ１２のパワーが弱くなり過ぎるのを抑えることが容易となり、広角化が容易となる。その一方、ｆ1／ｆ2の値を条件式(13)の下限値より大とすることにより、第１レンズＬ１１のパワーが弱くなり過ぎるのを抑えることが容易となり、ディストーションの補正が容易となる。なお以上述べた効果を得る上で、第１レンズＬ１１および第２レンズＬ１２のレンズのパワー配列は、本実施形態における配列に限定されるものではない。
【０１８９】
条件式(13)を満足することによる上記効果を一層高めるためには、条件式(13)が規定している条件の上限を−０．２とすることがより好ましく、−０．２５とすることがさらに好ましい。また上述の効果を一層高めるためには、条件式(13)が規定している条件の下限を−１．８とすることがより好ましく、−１．５とすることがさらに好ましく、−１．０とすることがさらに好ましい。すなわち上記効果は、例えば、下記条件式(13-1)、(13-2)、あるいは(13-3)
−１．８＜ｆ1／ｆ2＜−０．２ ……(13-1)
−１．５＜ｆ1／ｆ2＜−０．２５ ……(13-2)
−１．０＜ｆ1／ｆ2＜−０．２ ……(13-3)
が満足されれば、より高いものとなる。
【０１９０】
また本実施形態では、第１レンズ群Ｇ１が、最も物体側に配された第１レンズＬ１１を備えた上で、第１レンズＬ１１の物体側面から像面までの距離（バックフォーカス分は空気換算長）をL、全系の焦点距離をｆとしたとき、下記条件式(14)
２．０＜L／ｆ＜８．０ ……(14)
が満足されている。具体的に実施例１において、L／ｆの値は表１５に示される通り５．１６である。
【０１９１】
L／ｆの値を条件式(14)の上限値未満とすることにより、レンズ系の小型化が容易となる。その一方、L／ｆの値を条件式(14)の下限値より大とすることにより、広角化が容易となる。なお以上述べた効果を得る上で、第１レンズＬ１１のパワーは、本実施形態におけるパワーに限定されるものではない。
【０１９２】
条件式(14)を満足することによる上記効果を一層高めるためには、条件式(14)が規定している条件の上限を７．５とすることがより好ましく、７．０とすることがさらに好ましく、６．０とすることがさらに好ましい。また上述の効果を一層高めるためには、条件式(14)が規定している条件の下限を２．５とすることがより好ましく、３．０とすることがさらに好ましく、３．５とすることがさらに好ましく、４．０とすることがさらに好ましい。すなわち上記効果は、例えば、下記条件式(14-1)、(14-2)、あるいは(14-3)
２．５＜L／ｆ＜７．５ ……(14-1)
３．０＜L／ｆ＜７．０ ……(14-2)
３．５＜L／ｆ＜６．０ ……(14-3)
が満足されれば、より高いものとなる。
【０１９３】
また本実施形態では、バックフォーカス（空気換算長）をＢｆ、全系の焦点距離をｆとして、下記条件式(15)
０．３＜Ｂｆ／ｆ＜３．０ ……(15)
が満足されている。具体的に実施例１において、Ｂｆ／ｆの値は表１５に示される通り１．２１である。
【０１９４】
Ｂｆ／ｆの値を条件式(15)の上限値未満とすることにより、バックフォーカスが長くなり過ぎるのを抑えることが容易となり、レンズ系の小型化が容易となる。その一方、Ｂｆ／ｆの値を条件式(15)の下限値より大とすることにより、バックフォーカスが短くなり過ぎるのを抑えることが容易となる。そこで、撮像素子とレンズ系の間に各種フィルタやカバーガラスを配置することが容易となり、本実施形態の撮像レンズをより広範な撮像装置に適用可能となる。
【０１９５】
なお、条件式(15)を満足することによる上記効果を一層高めるためには、条件式(15)が規定している条件の上限を２．５とすることがより好ましく、２．０とすることがさらに好ましく、１．８とすることがさらに好ましい。また上述の効果を一層高めるためには、条件式(15)が規定している条件の下限を０．５とすることがより好ましく、０．８とすることがさらに好ましく、１．０とすることがさらに好ましい。すなわち上記効果は、例えば、下記条件式(15-1)、(15-2)、あるいは(15-3)
０．５＜Ｂｆ／ｆ＜２．５ ……(15-1)
０．８＜Ｂｆ／ｆ＜２．０ ……(15-2)
１．０＜Ｂｆ／ｆ＜１．８ ……(15-3)
が満足されれば、より高いものとなる。
【０１９６】
また本実施形態では、第１レンズ群Ｇ１が物体側から順に配された第１レンズＬ１１、および第２レンズＬ１２を備えた上で、第１レンズＬ１１の物体側面の曲率半径をＲ1、第２レンズＬ１２の像側面の曲率半径をＲ2としたとき、下記条件式(16)
−５．０＜(Ｒ1＋Ｒ2)／(Ｒ1−Ｒ2)＜−０．２ ……(16)
が満足されている。具体的に実施例１において、(Ｒ1＋Ｒ2)／(Ｒ1−Ｒ2)の値は表１５に示される通り−０．９５である。
【０１９７】
(Ｒ1＋Ｒ2)／(Ｒ1−Ｒ2)の値を条件式(16)の上限値未満とすることにより、第２レンズＬ１２の像側面の曲率半径を大きくすることが容易となり、コマ収差と非点収差の補正が容易となる。その一方、(Ｒ1＋Ｒ2)／(Ｒ1−Ｒ2)の値を条件式(16)の下限値より大とすることにより、第１レンズＬ１１のパワーを強くすることが容易となってディストーションの補正が容易となる。なお以上述べた効果を得る上で、第１レンズＬ１１および第２レンズＬ１２のパワー配列は、本実施形態における配列に限定されるものではない。
【０１９８】
条件式(16)を満足することによる上記効果を一層高めるためには、条件式(16)が規定している条件の上限を−０．３とすることがより好ましく、−０．４とすることがさらに好ましく、−０．６とすることがさらに好ましい。また上述の効果を一層高めるためには、条件式(16)が規定している条件の下限を−４．０とすることがより好ましく、−３．０とすることがさらに好ましく、−２．０とすることがさらに好ましい。すなわち上記効果は、例えば、下記条件式(16-1)、(16-2)、あるいは(16-3)
−４．０＜(Ｒ1＋Ｒ2)／(Ｒ1−Ｒ2)＜−０．３ ……(16-1)
−３．０＜(Ｒ1＋Ｒ2)／(Ｒ1−Ｒ2)＜−０．４ ……(16-2)
−２．０＜(Ｒ1＋Ｒ2)／(Ｒ1−Ｒ2)＜−０．６ ……(16-3)
が満足されれば、より高いものとなる。
【０１９９】
また本実施形態では、第１レンズ群Ｇ１が物体側から順に配された第１レンズＬ１１、第２レンズＬ１２、第３レンズＬ１３、第４レンズＬ１４、および第５レンズＬ１５を備えた上で、第５レンズＬ１５の物体側面の曲率半径、像側面の曲率半径をそれぞれＲ9、Ｒ10としたとき、下記条件式(17)
−５．０＜(Ｒ9＋Ｒ10)／(Ｒ9−Ｒ10)＜−０．２ ……(17)
が満足されている。具体的に実施例１において、(Ｒ9＋Ｒ10)／(Ｒ9−Ｒ10)の値は表１５に示される通り−１．００である。
【０２００】
第５レンズＬ１５を正レンズとしつつ、(Ｒ9＋Ｒ10)／(Ｒ9−Ｒ10)の値を条件式(17)の上限値未満とすることにより、該第５レンズＬ１５の物体側面の曲率半径を、像側面の曲率半径より小さくすることが容易となる。これにより、非点収差の補正が容易となる。その一方、第５レンズＬ１５を正レンズとしつつ、(Ｒ9＋Ｒ10)／(Ｒ9−Ｒ10)値を条件式(17)の下限値より大とすることにより、該第５レンズＬ１５の物体側面の曲率半径と、像側面の曲率半径との差を大きくすることが容易となる。そこで、第５レンズＬ１５のパワーをより大きくすることが容易になって、球面収差の補正が容易となる。なお以上述べた効果を得る上で、第１レンズＬ１１から第５レンズＬ１５までのレンズのパワー配列は、本実施形態における配列に限定されるものではない。
【０２０１】
条件式(17)を満足することによる上記効果を一層高めるためには、条件式(17)が規定している条件の上限を−０．３とすることがより好ましく、−０．４とすることがさらに好ましく、−０．５とすることがさらに好ましい。また上述の効果を一層高めるためには、条件式(17)が規定している条件の下限を−４．０とすることがより好ましく、−３．０とすることがさらに好ましく、−２．０とすることがさらに好ましい。すなわち上記効果は、例えば、下記条件式(17-1)、(17-2)、あるいは(17-3)
−４．０＜(Ｒ9＋Ｒ10)／(Ｒ9−Ｒ10)＜−０．３ ……(17-1)
−３．０＜(Ｒ9＋Ｒ10)／(Ｒ9−Ｒ10)＜−０．４ ……(17-2)
−２．０＜(Ｒ9＋Ｒ10)／(Ｒ9−Ｒ10)＜−０．５ ……(17-3)
が満足されれば、より高いものとなる。
【０２０２】
次に、本発明の撮像レンズの具体的な実施例について説明する。
【０２０３】
＜実施例１＞
実施例１の撮像レンズの構成を示す断面図を図２に示す。この図２を参照して、実施例１の撮像レンズの概略構成について説明する。この撮像レンズは、光軸Ｚに沿って物体側から順に、正の屈折力を有する第１レンズ群Ｇ１、および正の屈折力を有する第２レンズ群Ｇ２を配置して構成されている。フォーカシングは、第２レンズ群Ｇ２全体を光軸Ｚに沿って移動させることで行われる。
【０２０４】
第１レンズ群Ｇ１は、光軸Ｚに沿って物体側から順に正の第１レンズＬ１１、負の第２レンズＬ１２、負の第３レンズＬ１３、正の第４レンズＬ１４、正の第５レンズＬ１５、負の第６レンズＬ１６、負の第７レンズＬ１７、正の第８レンズＬ１８、および正の第９レンズＬ１９を配置して構成されている。なお第７レンズＬ１７と第８レンズＬ１８は互いに接合されている。
【０２０５】
一方第２レンズ群Ｇ２は、光軸Ｚに沿って物体側から順に正レンズＬ２１、負レンズＬ２２、正レンズＬ２３、負レンズＬ２４、正レンズＬ２５、および正レンズＬ２６を配置して構成されている。なお正レンズＬ２３と負レンズＬ２４は互いに接合されている。
【０２０６】
第１レンズ群Ｇ１と第２レンズ群Ｇ２との間には、開口絞りＳｔが設けられている。ただし、図２に示す開口絞りＳｔは必ずしも大きさや形状を表すものではなく、光軸Ｚ上の位置を示すものである。また図２では、第１レンズ群Ｇ２と像面Ｓｉｍの間に、各種フィルタやカバーガラス等を想定した平行平板状の光学部材ＰＰを配置した例を示している。
【０２０７】
第１レンズ群Ｇ１は、第７レンズＬ１７と第８レンズＬ１８とが接合されてなる１つの接合レンズを含んで構成されている。この接合レンズは、１枚の正レンズである第８レンズＬ１８と、１枚の負レンズであり第７レンズＬ１７とを接合してなるものである。第１レンズ群Ｇ１がこのような接合レンズを含むことにより、軸上の色収差や倍率の色収差を良好に補正可能となる。
【０２０８】
また、第１レンズ群Ｇ１の最も像側から１枚目、２枚目、３枚目のレンズ、つまり第９レンズＬ１９、第８レンズＬ１８、第７レンズＬ１７はそれぞれメニスカスレンズである。それにより、球面収差、非点収差、およびコマ収差の補正が容易となる。
【０２０９】
また、第１レンズ群Ｇ１の最も像側から１枚目、２枚目、３枚目のレンズ、つまり第９レンズＬ１９、第８レンズＬ１８、第７レンズＬ１７はそれぞれ、像側に凸面を向けたレンズとされている。それにより、球面収差や非点収差の補正が容易となる。
【０２１０】
第１レンズ群Ｇ１の最も像側のレンズつまり第９レンズＬ１９は、正メニスカスレンズとされている。それにより、非点収差やコマ収差を良好に補正することが容易となる。また上記正メニスカスレンズは、特に像側に凸面を向けた正メニスカスレンズである。それにより、非点収差、コマ収差の補正が容易となる。
【０２１１】
また第１レンズＬ１１は両凸レンズとされている。それにより、第１レンズＬ１１のパワーを強くすることが容易となり、ディストーションの補正が容易となる。
【０２１２】
また第１レンズＬ１１は、その物体側面の曲率半径絶対値が、その像側面の曲率半径絶対値より小さいものとされている（後述する表１参照）。それにより、非点収差や歪曲収差の補正が容易となる。
【０２１３】
また第２レンズＬ１２は、物体側に凸面を向けた凹メニスカスレンズとされている。それにより、ディストーションの補正が容易となる。
【０２１４】
第３レンズＬ１３は両凹レンズとされている。それにより、広角化が容易となる。
【０２１５】
また第３レンズＬ１３は、その物体側面の曲率半径絶対値が、その像側面の曲率半径絶対値より大きいものとされている（後述する表１参照）。それにより、像面湾曲の補正が容易となる。
【０２１６】
また、第４レンズＬ１４が正レンズとされたことにより、球面収差や非点収差の補正が容易となる。
【０２１７】
そして第４レンズは、像側に凸面を向けたメニスカスレンズとされている。この点からも、球面収差や非点収差の補正が容易となる。
【０２１８】
また、第５レンズＬ１５が正レンズとされたことにより、球面収差の補正が容易となる。
【０２１９】
そして第５レンズＬ１５は、物体側に凸面を向けたレンズとされている。それにより、球面収差や非点収差の補正が容易となる。
【０２２０】
また第５レンズＬ１５は特に、物体側に凸面を向けた平凸レンズとされている。それにより、球面収差や非点収差の補正が容易となる。
【０２２１】
また第６レンズＬ１６が負レンズとされたことにより、球面収差や非点収差と共に、軸上の色収差や、倍率の色収差も良好に補正可能となる。
【０２２２】
第６レンズＬ１６は特に両凹レンズとされている。それにより、球面収差や非点収差と共に、軸上の色収差や、倍率の色収差も良好に補正可能となる。
【０２２３】
そして第６レンズＬ１６は、その物体側面の曲率半径の絶対値が、その像側面の曲率半径の絶対値より大きいものとされている（後述する表１参照）。それにより、球面収差や非点収差の補正が容易となる。
【０２２４】
第７レンズＬ１７は、物体側に凹面を向けたメニスカスレンズとされている。それにより、球面収差や非点収差の補正が容易となる。
【０２２５】
また第７レンズＬ１７が負レンズとされたことにより、球面収差や非点収差の補正が容易となる。
【０２２６】
第８レンズＬ１８は、物体側に凹面を向けたメニスカスレンズとされている。それにより、球面収差や非点収差の補正が容易となる。
【０２２７】
また第８レンズＬ１８が正レンズとされたことにより、球面収差や非点収差の補正が容易となる。
【０２２８】
第７レンズＬ１７と第８レンズＬ１８は互いに接合されており、それにより、軸上の色収差や倍率の色収差を良好に補正可能となる。
【０２２９】
第９レンズＬ１９は、物体側に凹面を向けたメニスカスレンズとされている。それにより、球面収差や非点収差の補正が容易となる。
【０２３０】
また第９レンズＬ１９が正レンズとされたことにより、球面収差や非点収差の補正が容易となる。
【０２３１】
他方、第２レンズ群Ｇ２は、正レンズＬ２３と負レンズＬ２４とが互いに接合されてなる接合レンズを含んで構成されている。第２レンズ群Ｇ２がこのような接合レンズを少なくとも１つ含むことにより、軸上の色収差や倍率の色収差を良好に補正可能となる。
【０２３２】
また第２レンズ群Ｇ２は、２枚の負レンズＬ２２およびＬ２４を含んで構成されている。第２レンズ群Ｇ２がこのような負レンズを少なくとも２枚以上含むことにより、軸上の色収差、および倍率の色収差の補正が容易となる。
【０２３３】
また第２レンズ群Ｇ２の最も物体側のレンズは正レンズＬ２１とされている。それにより、非点収差の補正が容易となる。
【０２３４】
さらに第２レンズ群Ｇ２の最も物体側のレンズである上記正レンズＬ２１は、特に両凸レンズとされている。それにより、非点収差の補正が容易となる。
【０２３５】
また第２レンズ群Ｇ２の最も物体側のレンズである正レンズＬ２１は、物体側面の曲率半径の絶対値が、像側面の曲率半径の絶対値より小さいものとされている（後述する表１参照）。それにより、非点収差の補正が容易となる。
【０２３６】
また第２レンズ群Ｇ２の物体側から２枚目のレンズは、負レンズＬ２２とされている。それにより、球面収差や非点収差と共に、軸上の色収差、および倍率の色収差の補正が容易となる。
【０２３７】
また第２レンズ群Ｇ２の物体側から３枚目のレンズは、正レンズＬ２３とされている。それにより、球面収差や非点収差の補正が容易となる。
【０２３８】
また第２レンズ群Ｇ２の物体側から４枚目のレンズは、負レンズＬ２４とされている。それにより、球面収差や非点収差と共に、軸上の色収差、および倍率の色収差の補正が容易となる。
【０２３９】
また第２レンズ群Ｇ２の物体側から３枚目のレンズである正レンズＬ２３と、物体側から４枚目のレンズである負レンズＬ２４は、互いに接合されている。それにより、軸上の色収差、および倍率の色収差の補正が容易となる。
【０２４０】
また第２レンズ群Ｇ２の物体側から５枚目のレンズは、正レンズＬ２５とされている。それにより、周辺光線が撮像素子へ入射する角度を抑えることが容易となる。
【０２４１】
さらに第２レンズ群Ｇ２の物体側から６枚目のレンズは、正レンズＬ２６とされている。それにより、周辺光線が撮像素子へ入射する角度を抑えることが容易となる。
【０２４２】
他方、第２レンズ群Ｇ２の最も像側のレンズは、正レンズＬ２６とされている。このように第２レンズ群Ｇ２の最も像側のレンズを正レンズとすることにより、周辺光線が撮像素子へ入射する角度を抑えることが容易となる。
【０２４３】
また、第２レンズ群Ｇ２の最も像側から２枚目のレンズは、正レンズＬ２５とされている。このように第２レンズ群Ｇ２の最も像側から２枚目のレンズを正レンズとすることにより、周辺光線が撮像素子へ入射する角度を抑えることが容易となる。
【０２４４】
また第２レンズ群Ｇ２の最も像側のレンズである正レンズＬ２６、および最も像側から２枚目のレンズである正レンズＬ２５は特に、それぞれ像側に凸面を向けたレンズとされている。それにより、周辺光線が撮像素子へ入射する角度を抑えることが容易となる。
【０２４５】
また、第１レンズ群Ｇ１の最も物体側のレンズである第１レンズＬ１１の物体側面と、第１レンズ群Ｇ１の最も像側のレンズである第９レンズＬ１９の像側面と、第２レンズ群Ｇ２の最も物体側のレンズである正レンズＬ２１の物体側面と、第２レンズ群Ｇ２の最も像側のレンズである正レンズＬ２６の像側面はいずれも凸面とされている。それにより、非点収差、コマ収差、およびディストーションの補正が容易となる。
【０２４６】
ここで表１に、実施例１の撮像レンズの基本レンズデータを示す。表のＳｉの欄は最も物体側の構成要素の物体側の面を１番目として、像側に向かうに従って順次増加するｉ番目（ｉ＝１、２、３、…）の面番号を示し、Ｒｉの欄はｉ番目の面の曲率半径を示し、Ｄｉの欄はｉ番目の面とｉ＋１番目の面との光軸Ｚ上の面間隔を示している。また、Ｎｄｊの欄は最も物体側の構成要素を１番目として像側に向かうに従って順次増加するｊ番目（ｊ＝１、２、３、…）の光学要素のｄ線（波長５８７．６ｎｍ）に対する屈折率を示し、νｄｊの欄はｊ番目の光学要素のｄ線に対するアッベ数を示している。またθg,Fｊの欄はｊ番目の光学要素のｇ線（波長４３５．８ｎｍ）とＦ線(波長４８６．１ｎｍ)に関する部分分散比を示し、その右側の欄に硝材名を併記してある。
【０２４７】
なおレンズデータには、開口絞りＳｔと光学部材ＰＰも含めて示しており、開口絞りＳｔに相当する面の面番号の欄には面番号と（絞り）という表示をしてある。曲率半径の符号は、面形状が物体側に凸の場合を正、像側に凸の場合を負としている。Ｄｉの最下欄の値は、光学部材ＰＰの像側の面と像面Ｓｉｍとの間隔である。また表１では、適宜所定の桁でまるめた数値を記載している。
【０２４８】
また表２に、実施例１の撮像レンズのｄ線に関する諸元として、全系の焦点距離ｆ’、バックフォーカス（空気換算長）Ｂｆ’、ＦナンバーＦＮｏ．、および全画角２ωの値を示す。全画角２ωの単位は度であり、全系の焦点距離ｆ’およびバックフォーカスＢｆ’の値は前者を１．００として規格化したもので無単位である。なお表１における曲率半径Ｒｉおよび面間隔Ｄｉの値も、上記と同様に規格化した値である。
【０２４９】
以上説明した表１の記載の仕方は、後述する表３、表５、表７、表９、表１１、および表１３においても同様である。また表２の記載の仕方は、後述する表４、表６、表８、表１０、表１２、および表１４においても同様である。
【表１】
2015118212.tif 000003
【表２】
2015118212.tif 000004
【０２５０】
以下表１を参照して、実施例１の撮像レンズを構成する各レンズのアッベ数、部分分散比および屈折率について説明する。
【０２５１】
第１レンズＬ１１のアッベ数νｄ1は４２．７３である。この値は、先に述べた第１レンズに関する好適な数値条件つまり３０以上、より好ましくは３５以上という条件を満足している。第１レンズＬ１１のアッベ数νｄ1が３０以上であれば、軸上の色収差、および倍率の色収差の補正が容易となり、３５以上であればその効果がより顕著なものとなる。
【０２５２】
第２レンズＬ１２のアッベ数νｄ2は８１．５４である。この値は、先に述べた第２レンズに関する好適な数値条件つまり５０以上、より好ましくは５５以上、さらに好ましくは６０以上、さらに好ましくは６５以上という条件を満足している。第２レンズＬ１２のアッベ数νｄ2が５０以上であれば、軸上の色収差、および倍率の色収差の補正が容易となり、５５以上、６０以上、６５以上であればその効果がこの順に従ってより顕著なものとなる。
【０２５３】
第３レンズＬ１３のアッベ数νｄ3は２３．７８である。この値は、先に述べた第３レンズに関する好適な数値条件つまり３０以下、より好ましくは２８以下、さらに好ましくは２７以下という条件を満足している。第３レンズＬ１３のアッベ数νｄ3が３０以下であれば、軸上の色収差、および倍率の色収差の補正が容易となり、２８以下、２７以下であればその効果がこの順に従ってより顕著なものとなる。
【０２５４】
また第３レンズＬ１３の上記アッベ数２３．７８は、先に述べた第３レンズに関する別の好適な数値条件つまり２０以上という条件も満足している。第３レンズＬ１３のアッベ数νｄ3が２０以上であれば、この第３レンズＬ１３の材料のコストを抑えることが容易となる。
【０２５５】
また第３レンズＬ１３の部分分散比θg,F3は０．６２０７２である。この値と上記アッベ数２３．７８は、先に述べた第３レンズに関する好適な数値条件つまりアッベ数νｄ3が１５〜３０の間にあると共に、部分分散比θg,F3が０．６以上、より好ましくは０．６１以上という条件を満足している。第３レンズＬ１３のアッベ数νｄ3が１５〜３０の間にあって、部分分散比θg,F3が０．６以上であれば、倍率の色収差の補正が容易となり、部分分散比が０．６１以上であればその効果がより顕著なものとなる。
【０２５６】
第４レンズＬ１４のアッベ数νｄ4は３１．３２である。この値は、先に述べた第４レンズに関する好適な数値条件つまり４０以下、より好ましくは３５以下という条件を満足している。第４レンズＬ１４のアッベ数νｄ4が４０以下であれば、軸上の色収差、および倍率の色収差を良好に補正することが容易となり、３５以下であればその効果がより顕著なものとなる。
【０２５７】
また第４レンズＬ１４の部分分散比θg,F4は０．５９４８１である。この値と上記アッベ数３１．３２は、先に述べた第４レンズに関する好適な数値条件つまりアッベ数νｄ4が２２〜４０の間にあると共に、部分分散比θg,F4が０．５８以上という条件も満足している。第４レンズＬ１４のアッベ数νｄ4が２２〜４０の間にあって、部分分散比θg,F4が０．５８以上であれば、倍率の色収差の補正が容易となる。
【０２５８】
第５レンズＬ１５のアッベ数νｄ5は３１．３２である。この値は、先に述べた第５レンズに関する好適な数値条件つまり４０以下、より好ましくは３５以下という条件を満足している。第５レンズＬ１５のアッベ数νｄ5が４０以下であれば、軸上の色収差、および倍率の色収差を良好に補正することが容易となり、３５以下であればその効果がより顕著なものとなる。
【０２５９】
また第５レンズＬ１５の部分分散比θg,F5は０．５９４８１である。この値と上記アッベ数３１．３２は、先に述べた第５レンズに関する好適な数値条件つまりアッベ数νｄ5が２２〜４０の間にあると共に、部分分散比θg,F5が０．５８以上という条件も満足している。第５レンズＬ１５のアッベ数νｄ5が２２〜４０の間にあって、部分分散比θg,F5が０．５８以上であれば、倍率の色収差の補正が容易となる。
【０２６０】
第６レンズＬ１６のアッベ数νｄ6は４１．５０である。この値は、先に述べた第６レンズに関する好適な数値条件つまり２５以上、より好ましくは３０以上という条件を満足している。第６レンズＬ１６のアッベ数νｄ6が２５以上であれば、軸上の色収差の補正が容易となり、３０以上であればその効果がより顕著なものとなる。
【０２６１】
また第６レンズのアッベ数４１．５０は、先に述べた別の好適な数値条件つまり５５以下、より好ましくは５０以下という条件も満足している。第６レンズＬ１６のアッベ数νｄ6が５５以下であれば、倍率の色収差の補正が容易となり、５０以下であればその効果がより顕著なものとなる。
【０２６２】
第７レンズＬ１７のアッベ数νｄ7は２３．７８である。この値は、先に述べた第７レンズに関する好適な数値条件つまり１５以上、より好ましくは１８以上、さらに好ましくは２０以上という条件を満足している。第７レンズＬ１７のアッベ数νｄ7が１５以上であれば、この第７レンズＬ１７の材料のコストを抑えることが容易となり、１８以上、２０以上であればその効果がこの順に従ってより顕著なものとなる。
【０２６３】
また第７レンズＬ１７のアッベ数２３．７８は、先に述べた第７レンズに関する別の好適な数値条件つまり３３以下、より好ましくは３０以下、さらに好ましくは２８以下という条件も満足している。第７レンズＬ１７のアッベ数νｄ7が３３以下であれば、軸上の色収差、および正倍率の色収差の補正が容易となり、３０以下、２８以下であればその効果がこの順に従ってより顕著なものとなる。
【０２６４】
第８レンズＬ１８のアッベ数νｄ8は８１．５４である。この値は、先に述べた第８レンズに関する好適な数値条件つまり５０以上、より好ましくは５５以上、さらに好ましくは６０以上、さらに好ましくは７０以上という条件を満足している。第８レンズＬ１８のアッベ数νｄ8が５０以上であれば、軸上の色収差、および倍率の色収差の補正が容易となり、５５以上、６０以上、７０以上であればその効果がこの順に従ってより顕著なものとなる。
【０２６５】
他方、第１レンズ群Ｇ１の最も像側のレンズである第９レンズＬ１９のアッベ数νｄ9は２３．７８である。この値は、先に述べた第１レンズ群の最も像側のレンズに関する好適な数値条件つまり４０以下、より好ましくは３０以下、さらに好ましくは２８以下という条件を満足している。第１レンズ群の最も像側のレンズのアッベ数が４０以下であれば、軸上の色収差の補正が容易となり、３０以下、２８以下であればその効果がこの順に従ってより顕著なものとなる。
【０２６６】
第１レンズ群Ｇ１の最も像側から２枚目のレンズである第８レンズＬ１８のアッベ数νｄ8は、上で説明した通り８１．５４である。この値は、先に述べた第１レンズ群の最も像側から２枚目のレンズに関する好適な数値条件つまり５０以上、より好ましくは５５以上、さらに好ましくは６０以上、さらに好ましくは６５以上という条件を満足している。第１レンズ群Ｇ１の最も像側から２枚目のレンズのアッベ数が５０以上であれば、軸上の色収差、および倍率の色収差の補正が容易となり、５５以上、６０以上、６５以上であればその効果がこの順に従ってより顕著なものとなる。
【０２６７】
第１レンズ群Ｇ１の最も像側から３枚目のレンズである第７レンズＬ１７のアッベ数νｄ7は、上で説明した通り２３．７８である。この値は、先に述べた第１レンズ群の最も像側から３枚目のレンズに関する好適な数値条件つまり３０以下、より好ましくは２８以下、さらに好ましくは２６以下という条件を満足している。第１レンズ群Ｇ１の最も像側から３枚目のレンズのアッベ数が３０以下であれば、軸上の色収差の補正が容易となり、２８以下、２６以下であればその効果がこの順に従ってより顕著なものとなる。
【０２６８】
一方、第２レンズ群Ｇ２の最も物体側のレンズである正レンズＬ２１のアッベ数νｄ10は４６．５７である。この値は、先に述べた第２レンズ群の最も物体側のレンズに関する好適な数値条件つまり３０以上、より好ましくは３５以上、さらに好ましくは３８以上という条件を満足している。第２レンズ群Ｇ２の最も物体側のレンズのアッベ数が３０以上であれば、軸上の色収差の補正が容易となり、３５以上、３８以上であればその効果がこの順に従ってより顕著なものとなる。
【０２６９】
第２レンズ群Ｇ２の最も物体側から２枚目のレンズである負レンズＬ２２のアッベ数νｄ11は３５．７０である。この値は、先に述べた第２レンズ群の最も物体側から２枚目のレンズに関する好適な数値条件つまり２０以上、より好ましくは３０以上という条件を満足している。第２レンズ群Ｇ２の最も物体側から２枚目のレンズのアッベ数が２０以上であれば、軸上の色収差、および倍率の色収差の補正が容易となり、３０以上であればその効果がより顕著なものとなる。
【０２７０】
第２レンズ群Ｇ２の最も物体側から３枚目のレンズである正レンズＬ２３のアッベ数νｄ12は８１．５４である。この値は、先に述べた第２レンズ群の最も物体側から３枚目のレンズに関する好適な数値条件つまり４０以上、より好ましくは５０以上、さらに好ましくは６０以上という条件を満足している。第２レンズ群Ｇ２の最も物体側から３枚目のレンズのアッベ数が４０以上であれば、軸上の色収差、および倍率の色収差の補正が容易となり、５０以上、６０以上であればその効果がこの順に従ってより顕著なものとなる。
【０２７１】
第２レンズ群Ｇ２の最も物体側から４枚目のレンズである負レンズＬ２４のアッベ数νｄ13は２３．７８である。この値は、先に述べた第２レンズ群の最も物体側から４枚目のレンズに関する好適な数値条件つまり３０以下、より好ましくは２９以下、さらに好ましくは２８以下という条件を満足している。第２レンズ群Ｇ２の最も像側から４枚目のレンズのアッベ数が３０以下であれば、軸上の色収差、および倍率の色収差の補正が容易となり、２９以下、２８以下であればその効果がこの順に従ってより顕著なものとなる。
【０２７２】
前述したように第２レンズ群Ｇ２には、正レンズＬ２３と負レンズＬ２４とが接合されてなる接合レンズが含まれている。この接合レンズを構成する正レンズＬ２３のアッベ数νｄ12は、上で述べた通り８１．５４である。この値は、先に述べた第２レンズ群の接合レンズを構成する正レンズに関する好適な数値条件つまり４０以上、より好ましくは５０以上、さらに好ましくは６０以上という条件を満足している。第２レンズ群Ｇ２に用いられた接合レンズを構成する正レンズのアッベ数が４０以上であれば、軸上の色収差、および倍率の色収差の補正が容易となり、５０以上、６０以上であればその効果がこの順に従ってより顕著なものとなる。
【０２７３】
また、上記接合レンズを構成する負レンズＬ２４のアッベ数νｄ13は、上で述べた通り２３．７８である。この値は、先に述べた第２レンズ群の接合レンズを構成する負レンズに関する好適な数値条件つまり３０以下、より好ましくは２９以下、さらに好ましくは２８以下という条件を満足している。第２レンズ群Ｇ２に用いられた接合レンズを構成する負レンズのアッベ数が３０以下であれば、軸上の色収差、および倍率の色収差の補正が容易となり、２９以下、２８以下であればその効果がこの順に従ってより顕著なものとなる。
【０２７４】
第２レンズ群Ｇ２の最も像側のレンズである正レンズＬ２６のアッベ数νｄ15は６１．１４である。この値は、先に述べた第２レンズ群の最も像側のレンズに関する好適な数値条件つまり４０以上、より好ましくは４５以上、さらに好ましくは５０以上という条件を満足している。第２レンズ群Ｇ２の最も像側のレンズのアッベ数が４０以上であれば、倍率の色収差の補正が容易となり、４５以上、５０以上であればその効果がこの順に従ってより顕著なものとなる。
【０２７５】
第２レンズ群Ｇ２の最も像側から２枚目のレンズである正レンズＬ２５のアッベ数νｄ14は５０．８０である。この値は、先に述べた第２レンズ群の最も像側から２枚目のレンズに関する好適な数値条件つまり４０以上、より好ましくは４５以上、さらに好ましくは４８以上という条件を満足している。第２レンズ群Ｇ２の最も像側から２枚目のレンズのアッベ数が４０以上であれば、倍率の色収差の補正が容易となり、４５以上、４８以上であればその効果がこの順に従ってより顕著なものとなる。
【０２７６】
他方、第１レンズＬ１１の屈折率Ｎｄ1は１．８３４８１である。この値は、先に述べた第１レンズに関する好適な数値条件つまり１．７より大きい、より好ましくは１．７５より大きいという条件を満足している。第１レンズＬ１１の屈折率Ｎｄ1が１．７より大きければ、第１レンズＬ１１のパワーを強くすることが容易となり、ディストーションの補正が容易となる。この効果は、第１レンズＬ１１の屈折率Ｎｄ1が１．７５より大きい場合はより顕著なものとなる。
【０２７７】
また、第１レンズＬ１１の屈折率１．８３４８１は、先に述べた第１レンズに関する別の好適な数値条件つまり１．９より小さいという条件も満足している。第１レンズＬ１１の屈折率Ｎｄ1が１．９より小さければ、第１レンズＬ１１の材料のコストを抑えることが容易となる。
【０２７８】
図９に、実施例１の撮像レンズの各収差図を示す。同図では左から右に向かって順次、球面収差、正弦条件、非点収差、歪曲収差（ディストーション）、倍率色収差（倍率の色収差）を示す。なおこれらの収差は、無限遠物体に合焦したときのものである。
【０２７９】
球面収差、正弦条件、非点収差、歪曲収差を表す各収差図には、ｄ線（波長５８７．６ｎｍ）を基準波長とした収差を示す。球面収差図にはｄ線、Ｃ線(波長６５６．３ｎｍ)、Ｆ線(波長４８６．１ｎｍ)、ｇ線（波長４３５．８ｎｍ）についての収差をそれぞれ実線、破線、点線、細線で示す。非点収差図にはサジタル方向、タンジェンシャル方向の収差をそれぞれ実線と破線で示す。倍率色収差図にはＣ線、Ｆ線、ｇ線についての収差をそれぞれ破線、点線、細線で示す。なお、球面収差図および正弦条件図のＦｎｏ．はＦナンバーを意味し、その他の収差図のωは半画角を意味する。
【０２８０】
以上説明した各収差図の表示の仕方は、図１０〜図１５においても同様である。
【０２８１】
＜実施例２＞
実施例２の撮像レンズの構成を示す断面図を図３に示す。この図３を参照して、実施例２の撮像レンズの概略構成について説明する。この撮像レンズは、光軸Ｚに沿って物体側から順に、正の屈折力を有する第１レンズ群Ｇ１、および正の屈折力を有する第２レンズ群Ｇ２を配置して構成されている。フォーカシングは、第２レンズ群Ｇ２全体を光軸Ｚに沿って移動させることで行われる。
【０２８２】
第１レンズ群Ｇ１は、光軸Ｚに沿って物体側から順に正の第１レンズＬ１１、負の第２レンズＬ１２、負の第３レンズＬ１３、正の第４レンズＬ１４、正の第５レンズＬ１５、負の第６レンズＬ１６、負の第７レンズＬ１７、正の第８レンズＬ１８、正の第９レンズＬ１９、および正の第１０レンズＬ１１０を配置して構成されている。なお第７レンズＬ１７と第８レンズＬ１８は互いに接合され、また第９レンズＬ１９と第１０レンズＬ１１０も互いに接合されている。
【０２８３】
一方第２レンズ群Ｇ２は、光軸Ｚに沿って物体側から順に正レンズＬ２１、負レンズＬ２２、正レンズＬ２３、負レンズＬ２４、および正レンズＬ２５を配置して構成されている。なお正レンズＬ２３と負レンズＬ２４は互いに接合されている。
【０２８４】
第１レンズ群Ｇ１と第２レンズ群Ｇ２との間には、開口絞りＳｔが設けられている。この図３でも、第１レンズ群Ｇ２と像面Ｓｉｍの間に平行平板状の光学部材ＰＰを配置した例を示している。
【０２８５】
以上説明の通りこの実施例２の撮像レンズは、実施例１の撮像レンズと対比すると、第１レンズ群Ｇ１が１０枚のレンズ（実施例１は９枚）から構成される一方、第２レンズ群Ｇ２が５枚（実施例１は６枚）のレンズから構成されている点で、基本的に異なっている。
【０２８６】
この実施例２の撮像レンズにおいて、第１レンズ群Ｇ１の第１レンズＬ１１から像側に向かって第９レンズＬ１９までのパワー配列は、実施例１の撮像レンズにおけるパワー配列と同じである。ただし、実施例１の撮像レンズでは正の第５レンズＬ１５が平凸レンズであるのに対し、実施例２の撮像レンズでは第５レンズＬ１５が正メニスカスレンズとされている。
【０２８７】
またこの実施例２の撮像レンズにおいて、第２レンズ群Ｇ２の正レンズＬ２１から像側に向かって正レンズＬ２５までのパワー配列も、実施例１の撮像レンズにおけるパワー配列と同じである。ただし、実施例１の撮像レンズでは正レンズＬ２５が正メニスカスレンズであるのに対し、実施例２の撮像レンズでは正レンズＬ２５が両凸レンズとされている。
【０２８８】
第１レンズ群Ｇ１は、第７レンズＬ１７と第８レンズＬ１８とが接合されてなる接合レンズを含んで構成されている。この接合レンズは、１枚の正レンズ（第８レンズＬ１８）と１枚の負レンズ（第７レンズＬ１７）とを接合してなるものである。このような接合レンズを含むことにより、軸上の色収差や倍率の色収差を良好に補正可能となる。
【０２８９】
また、第１レンズ群Ｇ１の最も像側から１枚目、２枚目、３枚目のレンズ、つまり第１０レンズＬ１１０、第９レンズＬ１９、第８レンズＬ１８はそれぞれメニスカスレンズとされている。このような構成をとることにより、球面収差、非点収差、およびコマ収差の補正が容易となる。
【０２９０】
また、第１レンズ群Ｇ１の最も像側から１枚目、２枚目、３枚目のレンズ、つまり第１０レンズＬ１１０、第９レンズＬ１９、第８レンズＬ１８はそれぞれ、像側に凸面を向けたレンズとされている。それにより、球面収差や非点収差の補正が容易となる。
【０２９１】
第１レンズ群Ｇ１の最も像側のレンズつまり第１０レンズＬ１１０は、正メニスカスレンズとされている。それにより、非点収差やコマ収差を良好に補正することが容易となる。
【０２９２】
この実施例２の撮像レンズにおいて、第１レンズ群Ｇ１の第１レンズＬ１１〜第９レンズＬ１９までの各レンズの形状は、後述する第５レンズＬ１５を除いて、基本的に実施例１の撮像レンズにおけるものと同様であり、したがってレンズＬ１１〜Ｌ１４およびレンズＬ１６〜Ｌ１９の形状に基づいて得られる効果も実施例１の場合と略同様となる。
【０２９３】
ただし第５レンズＬ１５として、実施例１の撮像レンズでは平凸レンズが用いられているのに対し、実施例２の撮像レンズでは物体側に凸面を向けた正メニスカスレンズが用いられている。このように第５レンズＬ１５として物体側に凸面を向けた正メニスカスレンズが用いられた場合も、球面収差や非点収差の補正が容易となる。
【０２９４】
また、第２レンズ群Ｇ２の正レンズＬ２１〜正レンズＬ２４までの各レンズの基本的な形状も、実施例１の撮像レンズにおけるものと同様であり、したがってそれらのレンズＬ２１〜Ｌ２４の形状に基づいて得られる効果も実施例１の場合と同様となる。
【０２９５】
正レンズＬ２５として、実施例１の撮像レンズでは正メニスカスレンズが用いられているのに対し、実施例２の撮像レンズでは両凸レンズが用いられている。この場合も、第２レンズ群Ｇ２の最も像側のレンズを正レンズＬ２５としたことにより、周辺光線が撮像素子へ入射する角度を抑えることが容易となる。
【０２９６】
また第２レンズ群Ｇ２の最も像側のレンズである正レンズＬ２５、および最も像側から２枚目のレンズである正レンズＬ２４は特に、それぞれ像側に凸面を向けたレンズとされている。それにより、周辺光線が撮像素子へ入射する角度を抑えることが容易となる。
【０２９７】
また、第１レンズ群Ｇ１の最も物体側のレンズである第１レンズＬ１１の物体側面と、第１レンズ群Ｇ１の最も像側のレンズである第１０レンズＬ１１０の像側面と、第２レンズ群Ｇ２の最も物体側のレンズである正レンズＬ２１の物体側面と、第２レンズ群Ｇ２の最も像側のレンズである正レンズＬ２５の像側面はいずれも凸面とされている。それにより、非点収差、コマ収差、およびディストーションの補正が容易となる。
【０２９８】
表３に、実施例２の撮像レンズの基本レンズデータを示す。また表４に、実施例２の撮像レンズのｄ線に関する諸元を示す。
【表３】
2015118212.tif 000005
【表４】
2015118212.tif 000006
【０２９９】
以下表３を参照して、実施例２の撮像レンズを構成する各レンズのアッベ数、部分分散比および屈折率について説明する。
【０３００】
第１レンズＬ１１〜第８レンズＬ１８のアッベ数、並びに第４レンズＬ１４および第５レンズＬ１５の部分分散比の値は全て、先に説明した好適な数値条件を満足している。そこで、これらのアッベ数および部分分散比の値により得られる効果も、実施例１の場合と同様となる。
【０３０１】
また、第１レンズ群Ｇ１の最も像側のレンズである第１０レンズＬ１１０のアッベ数νｄ10は２３．７８である。この値は、先に述べた第１レンズの最も像側のレンズに関する好適な数値条件つまり３０以下、より好ましくは２８以下という条件を満足している。第１レンズ群Ｇ１の最も像側のレンズのアッベ数が３０以下であれば、軸上の色収差、および倍率の色収差の補正が容易となり、２８以下であればこの効果がより顕著なものとなる。
【０３０２】
第１レンズ群Ｇ１の最も像側から２枚目のレンズである第９レンズＬ１９のアッベ数νｄ9は、５３．８７である。この値は、先に述べた第１レンズ群の最も像側から２枚目のレンズに関する好適な数値条件つまり５０以上という条件を満足している。第１レンズ群Ｇ１の最も像側から２枚目のレンズのアッベ数が５０以上であれば、軸上の色収差、および倍率の色収差の補正が容易となる。
【０３０３】
一方、第２レンズ群Ｇ２の正レンズＬ２１〜正レンズＬ２４のアッベ数は、実施例１における値と同じである。したがって、それらのアッベ数の値によって得られる効果も、実施例１におけるものと同じとなる。
【０３０４】
また、第２レンズ群Ｇ２の最も像側のレンズである正レンズＬ２５のアッベ数νｄ15は５３．８７である。この値は、先に述べた第２レンズ群の最も像側のレンズに関する好適な数値条件つまり４０以上、より好ましくは４５以上、さらに好ましくは５０以上という条件を満足している。第２レンズ群Ｇ２の最も像側のレンズのアッベ数が４０以上であれば、倍率の色収差の補正が容易となり、４５以上、５０以上であればその効果がこの順に従ってより顕著なものとなる。
【０３０５】
他方、第１レンズＬ１１の屈折率Ｎｄ1は、実施例１における値と同じである。したがって、この屈折率Ｎｄ1の値によって得られる効果も、実施例１におけるものと同じとなる。
【０３０６】
図１０に、実施例２の撮像レンズの各収差図を示す。
【０３０７】
＜実施例３＞
実施例３の撮像レンズの構成を示す断面図を図４に示す。この図４を参照して、実施例３の撮像レンズの概略構成について説明する。この撮像レンズは、光軸Ｚに沿って物体側から順に、正の屈折力を有する第１レンズ群Ｇ１、および正の屈折力を有する第２レンズ群Ｇ２を配置して構成されている。フォーカシングは、第２レンズ群Ｇ２全体を光軸Ｚに沿って移動させることで行われる。
【０３０８】
第１レンズ群Ｇ１と第２レンズ群Ｇ２との間には、開口絞りＳｔが設けられている。
【０３０９】
第１レンズ群Ｇ１および第２レンズ群Ｇ２を構成する各レンズの枚数、レンズのパワー配列、および各レンズの基本的な形状は、実施例２の撮像レンズにおけるものと同じである。したがって、レンズの枚数、レンズのパワー配列、および各レンズの基本的な形状から得られる効果は、実施例２の撮像レンズにおけるものと同様となる。
【０３１０】
表５に、実施例３の撮像レンズの基本レンズデータを示す。また表６に、実施例３の撮像レンズのｄ線に関する諸元を示す。
【表５】
2015118212.tif 000007
【表６】
2015118212.tif 000008
【０３１１】
以下表５を参照して、実施例３の撮像レンズを構成する各レンズのアッベ数、部分分散比および屈折率について説明する。
【０３１２】
本実施例において、第１レンズ群Ｇ１および第２レンズ群Ｇ２を構成する各レンズのアッベ数、部分分散比および屈折率は、第２レンズ群Ｇ２の正レンズＬ２１のアッベ数νｄ11が４６．５８で、部分分散比θg,F11が０．５５７３０である以外、実施例２におけるものと同じとなっている。上記アッベ数νｄ11は、先に説明した第２レンズ群の最も物体側のレンズに関する好適な数値条件を満足している。そこで、このアッベ数νｄ11の値により得られる効果も、実施例１におけるものと同様となる。
【０３１３】
図１１に、実施例３の撮像レンズの各収差図を示す。
【０３１４】
＜実施例４＞
実施例４の撮像レンズの構成を示す断面図を図５に示す。この図５を参照して、実施例４の撮像レンズの概略構成について説明する。この撮像レンズは、光軸Ｚに沿って物体側から順に、正の屈折力を有する第１レンズ群Ｇ１、および正の屈折力を有する第２レンズ群Ｇ２を配置して構成されている。フォーカシングは、第２レンズ群Ｇ２全体を光軸Ｚに沿って移動させることで行われる。
【０３１５】
第１レンズ群Ｇ１と第２レンズ群Ｇ２との間には、開口絞りＳｔが設けられている。
【０３１６】
第１レンズ群Ｇ１および第２レンズ群Ｇ２を構成する各レンズの枚数、およびレンズのパワー配列は、実施例１の撮像レンズにおけるものと同じである。したがって、レンズの枚数、およびレンズのパワー配列から得られる効果は、実施例１の撮像レンズにおける効果と同様である。
【０３１７】
また第１レンズ群Ｇ１および第２レンズ群Ｇ２を構成する各レンズの基本的な形状は、第１レンズ群Ｇ１の第５レンズＬ１５および第２レンズ群Ｇ２の正レンズＬ２６が両凸レンズ（実施例１では共に平凸レンズ）とされている以外、実施例１のものと同じである。したがって、各レンズの基本的な形状から得られる効果も、下に特記する以外は実施例１における効果と同様である。
【０３１８】
第５レンズＬ１５は、物体側に凸面を向けたレンズとされている。それにより、第５レンズＬ１５が物体側に凸面を向けた平凸レンズとされた実施例１の撮像レンズと同様に、球面収差や非点収差の補正が容易となる。
【０３１９】
また第２レンズ群Ｇ２の最も像側のレンズである正レンズＬ２６、および最も像側から２枚目のレンズである正レンズＬ２５は、それぞれ像側に凸面を向けたレンズとされている。それにより本実施例でも、正レンズＬ２６として平凸レンズを用いた実施例１におけるのと同様に、周辺光線が撮像素子へ入射する角度を抑えることが容易となる。
【０３２０】
表７に、実施例４の撮像レンズの基本レンズデータを示す。また表８に、実施例４の撮像レンズのｄ線に関する諸元を示す。
【表７】
2015118212.tif 000009
【表８】
2015118212.tif 000010
【０３２１】
以下表７を参照して、実施例４の撮像レンズを構成する各レンズのアッベ数、部分分散比および屈折率について説明する。
【０３２２】
本実施例において、第１レンズ群Ｇ１および第２レンズ群Ｇ２を構成する各レンズのアッベ数、部分分散比および屈折率は、第２レンズ群Ｇ２の正レンズＬ２５のアッベ数νｄ14が４８．３２、部分分散比θg,F14が０．５６１０１、屈折率Ｎｄ14が１．６６６７２である以外、実施例１におけるものと同じとなっている。上記アッベ数νｄ14の値は、先に説明した好適な数値条件（第２レンズ群の最も像側から２枚目のレンズに関するもの）を満足している。そこで、このアッベ数νｄ14の値により得られる効果も、実施例１におけるものと同様となる。
【０３２３】
図１２に、実施例４の撮像レンズの各収差図を示す。
【０３２４】
＜実施例５＞
実施例５の撮像レンズの構成を示す断面図を図６に示す。この図６を参照して、実施例５の撮像レンズの概略構成について説明する。この撮像レンズは、光軸Ｚに沿って物体側から順に、正の屈折力を有する第１レンズ群Ｇ１、および正の屈折力を有する第２レンズ群Ｇ２を配置して構成されている。フォーカシングは、第２レンズ群Ｇ２全体を光軸Ｚに沿って移動させることで行われる。
【０３２５】
第１レンズ群Ｇ１と第２レンズ群Ｇ２との間には、開口絞りＳｔが設けられている。
【０３２６】
第１レンズ群Ｇ１および第２レンズ群Ｇ２を構成する各レンズの枚数、およびレンズのパワー配列は、実施例１の撮像レンズにおけるものと同じである。したがって、レンズの枚数、およびレンズのパワー配列から得られる効果は、実施例１の撮像レンズにおける効果と同様である。
【０３２７】
また第１レンズ群Ｇ１および第２レンズ群Ｇ２を構成する各レンズの基本的な形状は、第１レンズ群Ｇ１の第５レンズＬ１５、および第２レンズ群Ｇ２の正レンズＬ２６が正メニスカスレンズ（実施例１では共に平凸レンズ）とされている以外、実施例１のものと同じである。したがって、各レンズの基本的な形状から得られる効果も、下に特記する以外は実施例１における効果と同様である。
【０３２８】
第５レンズＬ１５は、物体側に凸面を向けたレンズとされている。それにより、第５レンズＬ１５が物体側に凸面を向けた平凸レンズとされた実施例１の撮像レンズと同様に、球面収差や非点収差の補正が容易となる。
【０３２９】
また第５レンズＬ１５が物体側に凸面を向けた正メニスカスレンズとされていることにより、球面収差や非点収差の補正が容易となる。
【０３３０】
また第２レンズ群Ｇ２の最も像側のレンズである正レンズＬ２６、および最も像側から２枚目のレンズである正レンズＬ２５は、それぞれ像側に凸面を向けたレンズとされている。それにより本実施例でも、正レンズＬ２６として平凸レンズを用いた実施例１におけるのと同様に、周辺光線が撮像素子へ入射する角度を抑えることが容易となる。
【０３３１】
表９に、実施例５の撮像レンズの基本レンズデータを示す。また表１０に、実施例５の撮像レンズのｄ線に関する諸元を示す。
【表９】
2015118212.tif 000011
【表１０】
2015118212.tif 000012
【０３３２】
以下表９を参照して、実施例５の撮像レンズを構成する各レンズのアッベ数、部分分散比および屈折率について説明する。
【０３３３】
本実施例において、第１レンズ群Ｇ１および第２レンズ群Ｇ２を構成する各レンズのアッベ数、部分分散比および屈折率は全て、実施例１におけるものと同じとなっている。そこで、これらのアッベ数および部分分散比、並びに屈折率の値により得られる効果も、実施例１におけるものと同様となる。
【０３３４】
図１３に、実施例５の撮像レンズの各収差図を示す。
【０３３５】
＜実施例６＞
実施例６の撮像レンズの構成を示す断面図を図７に示す。この図７を参照して、実施例６の撮像レンズの概略構成について説明する。この撮像レンズは、光軸Ｚに沿って物体側から順に、正の屈折力を有する第１レンズ群Ｇ１、および正の屈折力を有する第２レンズ群Ｇ２を配置して構成されている。フォーカシングは、第２レンズ群Ｇ２全体を光軸Ｚに沿って移動させることで行われる。
【０３３６】
第１レンズ群Ｇ１と第２レンズ群Ｇ２との間には、開口絞りＳｔが設けられている。
【０３３７】
第１レンズ群Ｇ１および第２レンズ群Ｇ２を構成する各レンズの枚数、およびレンズのパワー配列は、実施例１の撮像レンズにおけるものと同じである。したがって、レンズの枚数、およびレンズのパワー配列から得られる効果は、実施例１の撮像レンズにおける効果と同様である。
【０３３８】
また第１レンズ群Ｇ１および第２レンズ群Ｇ２を構成する各レンズの基本的な形状は、第１レンズ群Ｇ１の第５レンズＬ１５、および第２レンズ群Ｇ２の正レンズＬ２６が正メニスカスレンズ（実施例１では共に平凸レンズ）とされている以外、実施例１のものと同じである。したがって、各レンズの基本的な形状から得られる効果も、下に特記する以外は実施例１における効果と同様である。
【０３３９】
第５レンズＬ１５は、物体側に凸面を向けたレンズとされている。それにより、第５レンズＬ１５が物体側に凸面を向けた平凸レンズとされた実施例１の撮像レンズと同様に、球面収差や非点収差の補正が容易となる。
【０３４０】
また第５レンズＬ１５が物体側に凸面を向けた正メニスカスレンズとされていることにより、球面収差や非点収差の補正が容易となる。
【０３４１】
また第２レンズ群Ｇ２の最も像側のレンズである正レンズＬ２６、および最も像側から２枚目のレンズである正レンズＬ２５は、それぞれ像側に凸面を向けたレンズとされている。それにより本実施例でも、正レンズＬ２６として平凸レンズを用いた実施例１におけるのと同様に、周辺光線が撮像素子へ入射する角度を抑えることが容易となる。
【０３４２】
表１１に、実施例６の撮像レンズの基本レンズデータを示す。また表１２に、実施例６の撮像レンズのｄ線に関する諸元を示す。
【表１１】
2015118212.tif 000013
【表１２】
2015118212.tif 000014
【０３４３】
以下表１１を参照して、実施例６の撮像レンズを構成する各レンズのアッベ数、部分分散比および屈折率について説明する。
【０３４４】
本実施例において、第１レンズ群Ｇ１および第２レンズ群Ｇ２を構成する各レンズのアッベ数、部分分散比および屈折率は全て、実施例１におけるものと同じとなっている。そこで、これらのアッベ数および部分分散比、並びに屈折率の値により得られる効果も、実施例１におけるものと同様となる。
【０３４５】
図１４に、実施例６の撮像レンズの各収差図を示す。
【０３４６】
＜実施例７＞
実施例７の撮像レンズの構成を示す断面図を図８に示す。この図８を参照して、実施例７の撮像レンズの概略構成について説明する。この撮像レンズは、光軸Ｚに沿って物体側から順に、正の屈折力を有する第１レンズ群Ｇ１、および正の屈折力を有する第２レンズ群Ｇ２を配置して構成されている。フォーカシングは、第２レンズ群Ｇ２全体を光軸Ｚに沿って移動させることで行われる。
【０３４７】
第１レンズ群Ｇ１と第２レンズ群Ｇ２との間には、開口絞りＳｔが設けられている。
【０３４８】
第１レンズ群Ｇ１および第２レンズ群Ｇ２を構成する各レンズの枚数、およびレンズのパワー配列は、実施例１の撮像レンズにおけるものと同じである。したがって、レンズの枚数、およびレンズのパワー配列から得られる効果は、実施例１の撮像レンズにおける効果と同様である。
【０３４９】
また第１レンズ群Ｇ１および第２レンズ群Ｇ２を構成する各レンズの基本的な形状は、第１レンズ群Ｇ１の第５レンズＬ１５が正メニスカスレンズ（実施例１では平凸レンズ）とされている以外、実施例１のものと同じである。したがって、各レンズの基本的な形状から得られる効果も、下に特記する以外は実施例１における効果と同様である。
【０３５０】
第５レンズＬ１５は、物体側に凸面を向けたレンズとされている。それにより、第５レンズＬ１５が物体側に凸面を向けた平凸レンズとされた実施例１の撮像レンズと同様に、球面収差や非点収差の補正が容易となる。
【０３５１】
また第５レンズＬ１５が物体側に凸面を向けた正メニスカスレンズとされていることにより、球面収差や非点収差の補正が容易となる。
【０３５２】
表１３に、実施例７の撮像レンズの基本レンズデータを示す。また表１４に、実施例７の撮像レンズのｄ線に関する諸元を示す。
【表１３】
2015118212.tif 000015
【表１４】
2015118212.tif 000016
【０３５３】
以下表１３を参照して、実施例７の撮像レンズを構成する各レンズのアッベ数、部分分散比および屈折率について説明する。
【０３５４】
本実施例において、第１レンズ群Ｇ１および第２レンズ群Ｇ２を構成する各レンズのアッベ数、部分分散比および屈折率は、第３レンズＬ１３のアッベ数νｄ3が２５．４２、部分分散比θg,F3が０．６１６１６、屈折率Ｎｄ3が１．８０５１８である点、並びに第４レンズＬ１４のアッベ数νｄ4が４２．７３、部分分散比θg,F4が０．５６４８６、屈折率Ｎｄ4が１．８３４８１である点を除いて、実施例１におけるものと同じとなっている。上記第３レンズＬ１３のアッベ数νｄ3および部分分散比θg,F3の値は、先に説明した第３レンズに関する好適な数値条件を満足しており、また第４レンズＬ１４のアッベ数νｄ4および部分分散比θg,F4の値も、先に説明した第４レンズに関する好適な数値条件を満足している。そこで、これらのアッベ数および部分分散比の値により得られる効果も、実施例１におけるものと同様となる。
【０３５５】
図１５に、実施例７の撮像レンズの各収差図を示す。
【０３５６】
表１５に、以上述べた条件式(1)〜(17)が数値範囲を規定している条件の値を、実施例１〜７についてそれぞれ示す。なお各条件式が数値範囲を規定している条件をまとめると、
条件式(1)はνｄ2 ／νｄ3 、
条件式(2)はFA／FB、
条件式(3)はｆ1／ｆ、
条件式(4)は(ＲLF＋ＲLB)／(ＲLF−ＲLB)、
条件式(5)は(ＲL2F＋ＲL2B)／(ＲL2F−ＲL2B)、
条件式(6)はｆ1234／ｆ、
条件式(7)はｆ123／ｆ、
条件式(8)はFA／ｆ、
条件式(9)はFB／ｆ、
条件式(10)は(Ｒ7＋Ｒ8)／(Ｒ7−Ｒ8)、
条件式(11)はＤ6／ｆ、
条件式(12)はＤ4／ｆ、
条件式(13)はｆ1／ｆ2、
条件式(14)はL／ｆ、
条件式(15)はＢｆ／ｆ、
条件式(16)は(Ｒ1＋Ｒ2)／(Ｒ1−Ｒ2)、
条件式(17)は(Ｒ9＋Ｒ10)／(Ｒ9−Ｒ10)である。
【表１５】
2015118212.tif 000017
【０３５７】
次に、本発明の撮像装置について説明する。図１６に、本発明の実施形態の撮像装置の一例として、本発明の撮像レンズを用いた撮像装置の概略構成図を示す。なお図１６では、各レンズ群を概略的に示している。この撮像装置としては、例えば、ＣＣＤやＣＭＯＳ等の固体撮像素子を記録媒体とするビデオカメラや電子スチルカメラ等を挙げることができる。
【０３５８】
図１６に示す撮像装置１０は、撮像レンズ１と、撮像レンズ１の像側に配置されたローパスフィルタ等の機能を有するフィルタ６と、フィルタ６の像側に配置された撮像素子７と、信号処理回路８とを備えている。撮像素子７は撮像レンズ１により形成される光学像を電気信号に変換するものであり、例えば、撮像素子７としては、ＣＣＤ（Charge Coupled Device）やＣＭＯＳ（Complementary Metal Oxide Semiconductor）等を用いることができる。撮像素子７は、その撮像面が撮像レンズ１の像面に一致するように配置される。
【０３５９】
撮像レンズ１により撮像された像は撮像素子７の撮像面上に結像し、その像に関する撮像素子７からの出力信号が信号処理回路８にて演算処理され、表示装置９に像が表示される。
【０３６０】
以上、実施形態および実施例を挙げて本発明を説明したが、本発明の撮像レンズは、上記実施例のものに限られることなく種々の態様の変更が可能であり、例えば各レンズの曲率半径、面間隔、屈折率、アッベ数、部分分散比を適宜変更することが可能である。
【０３６１】
また、本発明の撮像装置も前述した構成のものに限られるものではなく、種々の態様の変更が可能である。
【符号の説明】
【０３６２】
１    撮像レンズ
６    フィルタ
７    撮像素子
８    信号処理回路
９    表示装置
１０    撮像装置
Ｇ１    第１レンズ群
Ｇ２    第２レンズ群
Ｌ１１〜Ｌ１９、Ｌ２１〜Ｌ２６、Ｌ１１０    レンズ
ＰＰ    光学部材
Ｓｉｍ    像面
Ｓｔ    開口絞り
Ｚ    光軸
【図１】
2015118212.tif 000018
【図２】
2015118212.tif 000019
【図３】
2015118212.tif 000020
【図４】
2015118212.tif 000021
【図５】
2015118212.tif 000022
【図６】
2015118212.tif 000023
【図７】
2015118212.tif 000024
【図８】
2015118212.tif 000025
【図１６】
2015118212.tif 000026
【図９】
2015118212.tif 000027
【図１０】
2015118212.tif 000028
【図１１】
2015118212.tif 000029
【図１２】
2015118212.tif 000030
【図１３】
2015118212.tif 000031
【図１４】
2015118212.tif 000032
【図１５】
2015118212.tif 000033